(57)【要約】本発明は、多型部位を含むヒトＧタンパク質共役型受容体Ｃｏｎ−２０２遺伝子の核酸セグメントを提供する。これらの部位を挟む領域にハイブリダイズする対立遺伝子特異的なプライマーおよびプローブも提供する。本発明は、精神分裂症を発症する遺伝的危険度を決定する方法または精神分裂症を診断する方法も提供する。【特許請求の範囲】
【請求項１】
ポジション１８４、１０２２、１２９２、１４００、２２９６、２３６９および２７２４の多型部位よりなる群から選択される少なくとも１のＣｏｎ−２０２多型部位を含む配列番号：１の１２ないし２００の隣接するヌクレオチドまたはその相補体よりなる単離されたポリヌクレオチド。
【請求項２】
ポジション１８４のヌクレオチドがヌクレオチドＧまたはＣの群から選択される請求項１記載の単離されたポリヌクレオチド。
【請求項３】
請求項２記載の単離されたポリヌクレオチドの相補体である単離されたポリヌクレオチド。
【請求項４】
ポジション１０２２のヌクレオチドがヌクレオチドＣまたはＡの群から選択される請求項１記載の単離されたポリヌクレオチド。
【請求項５】
請求項４記載の単離されたポリヌクレオチドの相補体である単離されたポリヌクレオチド。
【請求項６】
ポジション１２９２のヌクレオチドがヌクレオチドＣまたはＴの群から選択される請求項１記載の単離されたポリヌクレオチド。
【請求項７】
請求項６記載の単離されたポリヌクレオチドの相補体である単離されたポリヌクレオチド。
【請求項８】
ポジション１４００のヌクレオチドがヌクレオチドＣまたはＴの群から選択される請求項１記載の単離されたポリヌクレオチド。
【請求項９】
請求項８記載の単離されたポリヌクレオチドの相補体である単離されたポリヌクレオチド。
【請求項１０】
ポジション２２９６のヌクレオチドがヌクレオチドＴまたはＡの群から選択される請求項１記載の単離されたポリヌクレオチド。
【請求項１１】
請求項１０記載の単離されたポリヌクレオチドの相補体である単離されたポリヌクレオチド。
【請求項１２】
ポジション２３６９のヌクレオチドがヌクレオチドＧまたはＡの群から選択される請求項１記載の単離されたポリヌクレオチド。
【請求項１３】
請求項１２記載の単離されたポリヌクレオチドの相補体である単離されたポリヌクレオチド。
【請求項１４】
ポジション２７２４のヌクレオチドがヌクレオチドＡまたはＧの群から選択される請求項１記載の単離されたポリヌクレオチド。
【請求項１５】
請求項１４記載の単離されたポリヌクレオチドの相補体である単離されたポリヌクレオチド。
【請求項１６】
２００ヌクレオチド未満である請求項１記載の単離されたポリヌクレオチド。
【請求項１７】
５０ヌクレオチド未満である請求項１記載の単離されたポリヌクレオチド。
【請求項１８】
２０ヌクレオチド未満である請求項１記載の単離されたポリヌクレオチド。
【請求項１９】
多型が該ポリヌクレオチドの中央の４ヌクレオチド内に存在する請求項１記載の単離されたポリヌクレオチド。
【請求項２０】
多型が該ポリヌクレオチドの中央に存在する請求項１記載の単離されたポリヌクレオチド。
【請求項２１】
多型が該ポリヌクレオチドの末端に存在する請求項１記載の単離されたポリヌクレオチド。
【請求項２２】
ポリヌクレオチドがプローブである請求項１記載の単離されたポリヌクレオチド。
【請求項２３】
ポリヌクレオチドがプライマーである請求項１記載の単離されたポリヌクレオチド。
【請求項２４】
ポジション１８４、１０２２、２２９６および２３６９のＣｏｎ−２０２多型部位よりなる群から選択される少なくとも１のＣｏｎ−２０２多型部位を含み、ここに該Ｃｏｎ−２０２多型部位または部位群がポジション１８４のＣ、ポジション１０２２のＡ、ポジション２２９６のＡおよびポジション２３６９のＡよりなる群から選択される少なくとも１の希有な(rare)対立遺伝子によって占められていることを特徴とする、配列番号：１の少なくとも１２の隣接するヌクレオチドまたはその相補体を含む単離されたポリヌクレオチド。
【請求項２５】
ポジション１８４のヌクレオチドを含む配列番号：１の少なくとも１２の隣接するヌクレオチドを含み、ここにポジション１８４がＣによって占められていることを特徴とする請求項２４記載の単離されたポリヌクレオチド。
【請求項２６】
請求項２５記載の単離されたポリヌクレオチドの相補体である単離されたポリヌクレオチド。
【請求項２７】
ポジション１０２２のヌクレオチドを含む配列番号：１の少なくとも１２の隣接するヌクレオチドを含み、ここにポジション１０２２がＡによって占められていることを特徴とする請求項２４記載の単離されたポリヌクレオチド。
【請求項２８】
請求項２７の単離されたポリヌクレオチドの相補体である単離されたポリヌクレオチド。
【請求項２９】
ポジション２２９６のヌクレオチドを含む配列番号：１の少なくとも１２の隣接するヌクレオチドを含み、ここにポジション２２９６がＡによって占められていることを特徴とする請求項２４記載の単離されたポリヌクレオチド。
【請求項３０】
請求項２９記載の単離されたポリヌクレオチドの相補体である単離されたポリヌクレオチド。
【請求項３１】
ポジション２３６９のヌクレオチドを含む配列番号：１の少なくとも１２の隣接するヌクレオチドを含み、ここにポジション２３６９がＡによって占められていることを特徴とする請求項２４記載の単離されたポリヌクレオチド。
【請求項３２】
請求項３１記載の単離されたポリヌクレオチドの相補体である単離されたポリヌクレオチド。
【請求項３３】
（ａ）個体からＣｏｎ−２０２をコードする核酸またはそのフラグメントを得；ついで
（ｂ）ポジション１８４、１０２２、１２９２、１４００、２２９６、２３６９および２７２４の多型部位よりなる群から選択される少なくとも１の多型部位を占めているヌクレオチドに対応する該核酸からのヌクレオチドを決定する
ことを含む、個体からのＣｏｎ−２０２をコードする核酸分子またはそのフラグメントを分類する方法。
【請求項３４】
該決定が、配列番号：１またはそのフラグメントのポジション１８４を占めているヌクレオチドがＧであるかを決定することを含む請求項３３記載の方法。
【請求項３５】
該決定が、配列番号：１またはそのフラグメントのポジション１８４を占めているヌクレオチドがＣであるかを決定することを含む請求項３３記載の方法。
【請求項３６】
該決定が、配列番号：１またはそのフラグメントのポジション１０２２を占めているヌクレオチドがＣであるかを決定することを含む請求項３３記載の方法。
【請求項３７】
該決定が、配列番号：１またはそのフラグメントのポジション１０２２を占めているヌクレオチドがＡであるかを決定することを含む請求項３３記載の方法。
【請求項３８】
該決定が、配列番号：１またはそのフラグメントのポジション１２９２を占めているヌクレオチドがＣであるかを決定することを含む請求項３３記載の方法。
【請求項３９】
該決定が、配列番号：１またはそのフラグメントのポジション１２９２を占めているヌクレオチドがＴであるかを決定することを含む請求項３３記載の方法。
【請求項４０】
該決定が、配列番号：１またはそのフラグメントのポジション１４００を占めているヌクレオチドがＣであるかを決定することを含む請求項３３記載の方法。
【請求項４１】
該決定が、配列番号：１またはそのフラグメントのポジション１４００を占めているヌクレオチドがＴであるかを決定することを含む請求項３３記載の方法。
【請求項４２】
該決定が、配列番号：１またはそのフラグメントのポジション２７２４を占めているヌクレオチドがＡであるかを決定することを含む請求項３３記載の方法。
【請求項４３】
該決定が、配列番号：１またはそのフラグメントのポジション２７２４を占めているヌクレオチドがＧであるかを決定することを含む請求項３３記載の方法。
【請求項４４】
該決定がＤＮＡの増幅を含む請求項３３記載の方法。
【請求項４５】
個体から核酸を得；ついで
単一染色体上のポジション：
（a）１８４および１２９２、
（b）１８４および１４００、
（c）１８４および１０２２、
（d）１８４および２７２４ならびに
（e）１８４および１０２２および２７２４
のＣｏｎ−２０２多型部位よりなる群から選択される１を超えるＣｏｎ−２０２多型部位を占めるヌクレオチドに対応する該核酸からのヌクレオチドを決定することを含む、診断または予想目的の個人におけるハプロタイプを決定する方法。
【請求項４６】
該決定が、配列番号：１またはそのフラグメントのポジション１８４および１２９２を占めるヌクレオチドが両方ともＣであるかを決定することを含む請求項４５記載の方法。
【請求項４７】
該決定が、配列番号：１またはそのフラグメントのポジション１８４を占めるヌクレオチドがＣであり、配列番号：１またはそのフラグメントのポジション１２９２を占めるヌクレオチドがＴであるかを決定することを含む請求項４５記載の方法。
【請求項４８】
該決定が、配列番号：１またはそのフラグメントのポジション１８４および１４００を占めるヌクレオチドが両方ともＣであるかを決定することを含む請求項４５記載の方法。
【請求項４９】
該決定が、配列番号：１またはそのフラグメントのポジション１８４を占めるヌクレオチドがＣであり、配列番号：１またはそのフラグメントのポジション１４００を占めるヌクレオチドがＴであるかを決定することを含む請求項４５記載の方法。
【請求項５０】
該決定が、配列番号：１またはそのフラグメントのポジション１８４および１０２２を占めるヌクレオチドが両方ともＣであるかを決定することを含む請求項４５記載の方法。
【請求項５１】
該決定が、配列番号：１またはそのフラグメントのポジション１８４を占めるヌクレオチドがＧであり、配列番号：１またはそのフラグメントのポジション１０２２を占めるヌクレオチドがＣであるかを決定することを含む請求項４５記載の方法。
【請求項５２】
該決定が、配列番号：１またはそのフラグメントのポジション１８４を占めるヌクレオチドがＧであり、配列番号：１またはそのフラグメントのポジション１０２２を占めるヌクレオチドがＡであるかを決定することを含む請求項４５記載の方法。
【請求項５３】
該決定が、配列番号：１またはそのフラグメントのポジション１８４を占めるヌクレオチドがＣであり、配列番号：１またはそのフラグメントのポジション２７２４を占めるヌクレオチドがＧであるかを決定することを含む請求項４５記載の方法。
【請求項５４】
該決定が、配列番号：１またはそのフラグメントのポジション１８４を占めるヌクレオチドがＧであり、配列番号：１またはそのフラグメントのポジション２７２４を占めるヌクレオチドがＡであるかを決定することを含む請求項４５記載の方法。
【請求項５５】
該決定が：
配列番号：１またはそのフラグメントのポジション１８４を占めるヌクレオチドがＣであるかを決定すること、
配列番号：１またはそのフラグメントのポジション１０２２を占めるヌクレオチドがＣであるかを決定すること、および
配列番号：１またはそのフラグメントのポジション２７２４を占めるヌクレオチドがＧであるかを決定することを含む請求項４５記載の方法。
【請求項５６】
該決定が：
配列番号：１またはそのフラグメントのポジション１８４を占めるヌクレオチドがＧであるかを決定すること、
配列番号：１またはそのフラグメントのポジション１０２２を占めるヌクレオチドがＣであるかを決定すること、および
配列番号：１またはそのフラグメントのポジション２７２４を占めるヌクレオチドがＡであるかを決定することを含む請求項４５記載の方法。
【請求項５７】
該決定がＤＮＡの増幅を含む請求項４５記載の方法。
【請求項５８】
該決定が特定の対立遺伝子の二重ＰＣＲ増幅を含む請求項３０記載の方法。
【請求項５９】
個人が精神分裂症に罹患してそうかまたはしてなさそうかを予想する方法であって、該患者からの核酸試料からのヌクレオチドが、ポジション１８４および２７２４のＣｏｎ−２０２多型部位よりなる群から選択されるＣｏｎ−２０２多型部位を占めているヌクレオチドに対応することを決定することを含む方法。
【請求項６０】
ポジション１８４にＧが存在することが該個体が精神分裂症に罹患してそうなことを示す請求項４３記載の方法。
【請求項６１】
ポジション１８４にＣが存在することが該個体が精神分裂症に罹患してなさそうなことを示す請求項４３記載の方法。
【請求項６２】
ポジション２７２４にＡが存在することが該個体が精神分裂症に罹患してそうなことを示す請求項４３記載の方法。
【請求項６３】
ポジション２７２４にＧが存在することが該個体が精神分裂症に罹患してなさそうなことを示す請求項４３記載の方法。
【請求項６４】
個体からの核酸試料からのヌクレオチドが、
ポジション：
（ａ）１８４および１２９２、
（ｂ）１８４および１４００、
（ｃ）１８４および１０２２、
（ｄ）１８４および２７２４ならびに
（ｅ）１８４および１０２２および２７２４
のＣｏｎ−２０２多型部位よりなる群から選択される単一染色体上の２またはそれを超えるＣｏｎ−２０２多型部位を占める２またはそれを超えるヌクレオチドに対応することを決定することを含む、個体が精神分裂症に罹患してそうかまたはしてなさそうかを予想する方法。
【請求項６５】
ポジション１８４および１２９２が両方ともＣであることが、該個体が精神分裂症に罹患してなさそうであることを示す請求項６４記載の方法。
【請求項６６】
ポジション１８４のＣおよび１２９２のＴが、該個体が精神分裂症に罹患してなさそうであることを示す請求項６４記載の方法。
【請求項６７】
ポジション１８４および１４００が両方ともＣであることが、該個体が精神分裂症に罹患してなさそうであることを示す請求項６６記載の方法。
【請求項６８】
ポジション１８４のＣおよび１４００のＴが、該個体が精神分裂症に罹患してなさそうであることを示す請求項６６記載の方法。
【請求項６９】
ポジション１８４のＧおよび１０２２のＣが、該個体が精神分裂症に罹患してそうであることを示す請求項６６記載の方法。
【請求項７０】
ポジション１８４および１０２２が両方ともＣであることが、該個体が精神分裂症に罹患してなさそうであることを示す請求項６６記載の方法。
【請求項７１】
ポジション１８４のＧおよび１０２２のＡが、該個体が精神分裂症に罹患してなさそうであることを示す請求項６６記載の方法。
【請求項７２】
ポジション１８４のＧおよび２７２４のＡが、該個体が精神分裂症に罹患してそうであることを示す請求項６６記載の方法。
【請求項７３】
ポジション１８４および２７２４が両方ともＧであることが、該個体が精神分裂症に罹患してなさそうであることを示す請求項６６記載の方法。
【請求項７４】
ポジション１８４のＣおよび２７２４のＧが、該個体が精神分裂症に罹患してなさそうであることを示す請求項６６記載の方法。
【請求項７５】
ポジション１８４および１０２２が両方ともＣであることならびにポジション２７２４のＧが、該個体が精神分裂症に罹患してそうであることを示す請求項６６記載の方法。
【請求項７６】
ポジション１８４のＧ、ポジション１０２２のＣ、およびポジション２７２４ののＡが、該個体が精神分裂症に罹患してなさそうであることを示す請求項６６記載の方法。
【請求項７７】
ａ）請求項３３記載の方法に従ってＣｏｎ−２０２多型について集団からの個体を遺伝子型決定し；ついで
ｂ）該集団中の該多型の比率的表示を決定することを含む、Ｃｏｎ−２０２多型の集団中の頻度を決定する方法。
【請求項７８】
ａ）請求項７７記載の方法に従って形質陽性集団中の少なくとも１のＣｏｎ−２０２多型の頻度を決定し；
ｂ）請求項７７記載の方法に従って対照集団中の該Ｃｏｎ−２０２多型の頻度を決定し；ついで
ｃ）該多型と該表現型との間に統計学的に有意な関連が存在するかを決定する
工程を含む、Ｃｏｎ−２０２多型と表現型との間の関連を検出する方法。
【請求項７９】
該表現型が、精神分裂症に作用する剤に対する応答である請求項７８記載の方法。
【請求項８０】
該表現型が、精神分裂症に作用する剤に対する副作用である請求項７８記載の方法。
【請求項８１】
ａ）請求項３３に従って少なくとも１のＣｏｎ−２０２多型について集団中の各個体を遺伝子型決定し；
ｂ）ゲノムに存在する第２の多型マーカーの両方のコピーについて該第２の多型マーカーのヌクレオチドの同一性を決定することによって第２の多型マーカーについて該集団中の各個体を遺伝子型決定し；ついで
ｃ）工程ａ）およびｂ）で決定したヌクレオチドの同一性にハプロタイプ決定方法を適用して頻度の推定値を得る
ことを含む、集団中の一連の多型マーカーについてハプロタイプの頻度を推定する方法。
【請求項８２】
該ハプロタイプ決定方法が、非対称ＰＣＲ増幅、特定の対立遺伝子の二重ＰＣＲ増幅、Ｃｌａｒｋ法、Ｃｌａｙｔｏｎ法または期待値最大化（expectation maximization、ＥＭ）アルゴリズムよりなる群から選択される請求項８１記載の方法。
【請求項８３】
Ｃｏｎ−２０２多型部位を占めるヌクレオチドの同一性を決定するための必要な成分を自給式キット中に小さな体積で含む診断キット。
【請求項８４】
配列番号：１または少なくとも１の多型部位を含むその相補体の１２ないし２００の隣接するヌクレオチドを含む単離されたポリヌクレオチドを含む請求項８３記載の診断キット。
【発明の詳細な説明】
【０００１】
関連出願の相互参照
本願は、出典明示して本明細書の一部とみなす2001年4月24日に出願された米国特許出願60/286400号に基づく優先権を主張する。
【０００２】
発明の分野
本発明は、多型部位を含むヒトＧ−タンパク質共役型受容体Ｃｏｎ−２０２の核酸セグメントを提供する。本発明は、精神分裂症を発症する遺伝的危険度を判定する方法または精神分裂症を診断する方法も提供する。
【０００３】
背景
一塩基多型
すべての生物はその進化の過程において周期的な突然変異を被り、したがって先祖の配列の変異形態を創製する(Gusella, Ann. Rev. Biochem. 55, 831-854 (1986))。該変異形態は先祖の形態に対して進化的な利点を付与することも付与しないこともある。変異形態が中性であることもある。また、変異形態が致死的であって、その生物のさらなる世代に伝達されない場合もある。また、変異形態が種に対して進化的な利点を付与し、最終的にはその種の多くまたは大部分のメンバーのＤＮＡに取込まれ、先祖の形態に有効になる場合もある。多くの場合においては、先祖および変異形態（群）の両方が種の集団において生存し、共存している。このように複数の形態の配列が共存することによって、多型が生じる。
【０００４】
幾つかの異なる型の多型が報告されている。制限断片長多型（ＲＦＬＰ）は、Botsteinら, Am. J. Hum. Genet. 32, 314-331 (1980)に記載されているごとく、制限断片の長さを変化させるＤＮＡ配列中の変化を意味する。制限断片長多型は制限部位を創製することも欠失することもあり、したがって制限断片の長さを変化させる。ＲＦＬＰはヒトおよび動物の遺伝解析において広範に使用されている (米国特許第5,856,104号, 1999年1月5日、Cheeら, WO 90/13668; W090/11369; Donis-Keller, Cell 51,319-337 (1987); Landerら, Genetics 121, 85-99 (1989))。遺伝性の形質を特定のＲＦＬＰに連鎖し得る場合には、個体にＲＦＬＰが存在することを用いて、動物もその形質を表すことの見込みを予想することができる。
【０００５】
また、多型が、タンデムのジ−、トリ−およびテトラ−ヌクレオチド反復モチーフを含むショートタンデムリピート（ＳＴＲ）の形態をとる場合もある。これらのタンデムリピートは高変異反復配列（ＶＮＴＲ）ともいう。ＶＮＴＲは本人であることおよび実父確定(米国特許第5,075,217号; Armourら, FEBS Lett. 307, 113-115 (1992); Hornら, WO 91/14003; Jeffreys, EP 370,719)、および多数の遺伝子マッピング研究に使用されている。
【０００６】
同一種の個体間で多型が一塩基変異型の形態をとる場合もある。かかる多型はＲＦＬＰ、ＳＴＲおよびＶＮＴＲよりも遥かに高い頻度である。一塩基の変化が制限酵素切断部位を創製することもあれば、破壊することもあるので、一塩基多型がＲＦＬＰを生じ得ることも認められる。一塩基多型がタンパク質コード配列中に発生する場合もあり、かかる場合には、多型形態のうちの１が欠陥タンパク質または他の変異タンパク質の発現を生じ、潜在的に遺伝病を生じ得る。コード配列内の多型が遺伝病を生じる遺伝子の例には、β−グロビン(鎌状赤血球貧血)およびＣＦＴＲ (嚢胞性繊維症)が含まれる。一塩基多型が非コード領域で発生する場合もある。これらの多型は欠陥タンパク質の発現も生じ得る(例えば、欠陥スプライシングの結果として）。また、一塩基多型が表現型効果は有していないが、なお、表現型効果に遺伝的に連鎖し得る場合がある。
【０００７】
一塩基多型の頻度および均一性が大きい程、他の多型の場合よりも目的の遺伝子座の直近にかかる多型が見出される確率が大きいことを意味する。また、異なる形態の特徴付けされた一塩基多型により、他の型の多型がより迅速に識別されることもある（例えば、対立遺伝子特異的なハイブリダイゼーション・プローブまたはプライマーを用いるアッセイを使用することによって）。疾病の分析に複数の遺伝子産物が役割を果たす精神分裂症のごとき疾病においては、ＳＮＰが検査ツールとして特定の裏付けを示し、それは価値ある診断ツールにもなり得る。
【０００８】
精神分裂症
精神分裂症は、人口のほぼ１％が罹り、罹った個体およびその家族の生活に重大な混乱を生じる悲惨な神経精神病学的な障害である。一般的な症状には、妄想、概念解体(conceptual disorganizations）および幻覚または幻聴、ならびに情緒挙動における変化が含まれる。症状を格付けするスケールおよび診断を確認する方法が多数開発されており、それには米国精神医学会によるＤＳＭ分類(Diagnostic and Statistical Manual of Mental Disorders Third and Fourth Editions)が含まれ、それは臨床診断の精度を上げることが試みられている。しかしながら、幾つかの存在する異常から同様な症状が生じるようであり、臨床的症状に唯一依存する診断は困難で論争があり、主観的で、時間がかかり、費用がかかる。したがって、精神分裂症を発症する素因を診断または予想する新たな方法について懇願される要望が存在している。
【０００９】
引用する文献
米国特許
1. 米国特許第5,856,104号 Polymorphisms in the glucose-6 phosphate dehydrogenase locus
2. 米国特許第5,075,217号 Length polymorphisms in (dC-dA)n (dG-dT)n sequences
3. 1999年10月27日に出願された米国特許出願番号09/427,653
4. 2000年10月27日に出願された米国特許出願番号09/698,419
5 米国特許第4,683,202号 Process for amplifying nucleic acid sequences
6. 米国特許第5,185,444号 Uncharged morpholino-based polymers having phosphorous containing chiral intersubunit linkages
7. 米国特許第5,034,506号 Uncharged morpholino-based polymers having achiral intersubunit linkages
8. 米国特許第5,142,047号 Uncharged polynucleotide-binding polymers
9. 米国特許第5,424,186号 Very large scale immobilized polymer synthesis
10. 米国特許第6,071,722号 Nucleic Acids encoding a G-protein Coupled 7TM
Receptor(AXOR-1)
【００１０】
外国特許文献
1. W090/13668 Method for Genetic Analysis of a Nucleic Acid Sample
2. W090/11369 Solid Phase Diagnosis of Medical Conditions
3. W091/14003 Characterization and Analysis of Polymorphic VNTR Loci
4. EP370719 Extended nucleotide sequences
5. W09504064 Polynucleotide Decoys that Inhibit MHC-II Expression and Uses Thereof
6. EP235726 Rapid detection of nucleic acid sequences in a sample by labeling the sample
7. WO89/11548 Immobilized Sequence Specific Probes
8. WO93/22456 Detection of Gene Sequences in Biological Fluids
9. WO98/20165 Biallelic Markers
10. WO92/10092 Very large scale immobilized polymer synthesis
【００１１】
11. WO95/11995 Arrays of Nucleic Acid Probes on Biological Chips
12. WO01/155387 Nucleic Acids, Proteins, and Antibodies
13. WO00/107612 Receptors and Associated Proteins
14. WO01/85791 Nucleic Acid Sequences for Novel GPCRS
15. WO01/31014 G Protein Coupled Receptors Expressed in Brain
16. WO01/32865 Human GPR27-Like G-Protein Coupled Receptor Polypeptide and Polynucleotide Sequences
17. WO01/64835 Novel Nucleic Acids and Polypeptides
【００１２】
書籍
1. Diagnostic and Statistical Manual of Mental Disorders (4th Edition), 273-316, 1994
2. DNA Sequencing"in Sambrookら (編者), Molecular Cloning : A Laboratory Manual (Second Edition), Plainview, N. Y.: Cold Spring Harbor Laboratory Press (1989)
3. Biochemistry, 4th edition, Stryer, L., 1995
4. PCR Technology: Principles and Applications for DNA Amplification (ed. H. A. Erlich, Freeman Press, N. Y., N. Y., 1992)
5. PCR Protocols: A Guide to Methods and Applications (Innisら編者, Academic Press, San Diego, Calif., 1990); Mattilaら, Nucleic Acids Res. 19, 4967 (1991);
6. PCR Methods and Applications Eckertら, 1, 17(1991)；
7. PCR (McPhersonら編者, IRL Press, Oxford)
【００１３】
パブリックデータベース・エントリー
1. Genbank AC073346
2. Genbank AL161959
3. Genbank AF250237
4. Genbank AF254416
5. Genbank AC097542
6. Genbank AF203907
7. Genbank AB040803
8. Genbank AL540051
9. Genbank BF41462
10. Genbank R35286
11. Genbank BI734823
12. Genbank AL540052
13. Genbank BB647727
14. Genbank AA883367
【００１４】
定期刊行物
1. Ajioka, R. S.ら, Haplotype analysis of hemochromatosis: evaluation of different linkage-disequilibrium approaches and evolution of disease chromosomes. Am J Hum Genet, 1997. 60 (6): p. 1439-47.
2. Armour, J. A.およびA. J. Jeffreys, Recent advances in minisatellite biology. FEBS Lett, 1992.307(1) : p. 113-5.
3. Botstein, D.ら, Construction of a genetic linkage map in man using restriction fragment length polymorphisms. Am J Hum Genet, 1980.32 (3): p. 314-31.
4. Clark, A. G., Inference of haplotypes from PCR-amplified samples of diploid populations. Mol Biol Evol, 1990.7 (2): p. 111-22.
5. Clayton, D., Ageneralization of the transmissionldisequilibrium testfor uncertain-haplotype transmission. Am J Hum Genet, 1999.65 (4): p. 1170-7.
6. Donis-Keller, H.ら, A genetic linkage map of the human genome. Cell, 1987.51 (2): p. 319-37.
7. Excoffier, L.およびM. Slatkin, Maximum-likelihood estimation of molecular haplotype frequencies in a diploid population. Mol Biol Evol, 1995.12 (5): p. 921-7.
8. Germer, S.およびR. Higuchi, Single-tube genotyping without oligonucleotide probes. Genome Res, 1999.9(1) : p. 72-8.
9. Gibbs, R. A., P. N. Nguyen, およびC. T. Caskey, Detection of single DNA base differences by competitive oligonucleotide priming. Nucleic Acids Res, 1989. 17 (7): p. 2437-48.
10. Guatelli, J. C.ら, Isothermal, in vitro amplification of nucleic acids by a multienzyme reaction modeled after  retroviral replication. Proc Natl Acad Sci U S A, 1990.87 (5): p. 1874-8.
【００１５】
11. Gusella, J. F., DNA polymorphism and human disease. Annu Rev Biochem, 1986.55: p. 831-54.
12. Hacia, J. G.ら, Detection ofheterozygous mutations in BRCAI using high density oligonucleotide arrays and two-colourfluorescence analysis. Nat Genet, 1996.14 (4): p. 441-7.
13. Hawley, M. E.およびK. K. Kidd, HAPLO : a program using the EM algorithm to estimate the frequencies of multi-site haplotypes. J Hered, 1995.86 (5): p. 40911.
14. Howard, T. D., E. R. BleeckerおよびO. C. Stine, Fluorescent allele-specific PCR (FAS-PCR) improves the reliability of single nucleotide polymorphism screening. Biotechniques, 1999.26 (3): p. 380-1.
15. Kozal, M. J.ら, Extensive polymorphisms observed in HIV-1 clade B protease gene using high-density oligonucleotide arrays. Nat Med, 1996.2 (7): p. 753-9.
16. Kwoh, D. Y.ら, Transcription-based amplification system and detection of amplified humanimmunodeficiency virus type I with a bead-based sandwich hybridization format. Proc Natl Acad Sci U S A, 1989.86 (4): p. 1173-7.
17. Landegren, U.ら, A ligase-mediated gene detection technique. Science, 1988.241 (4869): p. 1077-80.
18. Landegren, U., M. NilssonおよびP. Y. Kwok, Reading bits of genetic information : methods for single-nucleotide polymorphism analysis. Genome Res, 1998.8 (8): p. 769-76.
19. Lander, E. S.およびD. Botstein, Mapping mendelian factors underlying quantitative traits using RFLP linkage maps. Genetics, 1989.121(1) : p. 18599.
20. Lander, E. S.およびN. J. Schork, Genetic dissection of complex traits. Science, 1994.265 (5181): p. 2037-48.
【００１６】
21. Livak, K. J., J. MarmaroおよびJ. A. Todd, Towardsfully automated genome wide polymorphism screening. Nat Genet, 1995.9 (4): p. 341-2.
22. Mattila, P.ら, Fidelity of DNA synthesis by the Thermococcus litoralis DNA polymerase--an extremely heat stable enzyme with proofreading activity. Nucleic Acids Res, 1991.19 (18): p. 4967-73.
23. Newton, C. R.ら, Analysis of any point mutation in DNA. The amplification refractory mutation system (ARMS). Nucleic Acids Res, 1989.17 (7): p. 250316.
24. Nickerson, D. A., V.O. TobeおよびS. L. Taylor, PolyPhred : automating the detection and genotyping of single nucleotide substitutions using fluorescence based resequencing. Nucleic Acids Res, 1997.25 (14): p.2745-51.
25. Nielsen, P. E.ら, Sequence-selective recognition of DNA by strand displacement with a thymine-substituted polyamide. Science, 1991.254 (5037): p. 1497-500.
26. Orita, M.ら, Detection of polymorphisms of human DNA by gel electrophoresis as single-strand conformation polymorphisms. Proc Natl Acad Sci U S A, 1989.86 (8): p. 2766-70.
27. Perlin, M. W.ら, Towardfully automated genotyping : allele assignment, pedigree construction, phase determination, and recombination detection in Duchenne muscular dystrophy. Am J Hum Genet, 1994.55 (4): p. 777-87.
28. Ruano, G., K. K. KiddおよびJ. C. Stephens, Haplotype of multiple polymorphisms resolved by enzymatic amplification of single DNA molecules. Proc Natl Acad Sci U S A, 1990.87 (16): p. 6296-300.
29. Saiki, R. K.ら, Analysis of enzymatically amplified beta-globin and HLA-DQ alpha DNA with allele-specific  oligonucleotide probes. Nature, 1986. 324 (6093): p. 163-6.
30. Sarkar, G.およびS. S. Sommer, Haplotyping by double PCR amplification of specific alleles. Biotechniques, 1991.10 (4): p. 436,438,440.
【００１７】
31. Schaid, D. J., General score tests for associations of genetic markers with disease using cases and their parents. Genet Epidemiol, 1996.13 (5): p. 42349.
32. Shoemaker, D. D.ら, Quantitative phenotypic analysis of yeast deletion mutants using a highly parallel molecular bar-coding strategy. Nat Genet, 1996. 14 (4): p. 450-6.
33. Spielman, R. S., R. E. McGinnis,およびW. J. Ewens, Transmission test for linkage disequilibrium : the insulin gene region and insulin-dependent diabetes mellitus (IDDM). Am J Hum Genet, 1993.52 (3): p. 506-16.
34. Spielman, R. S.およびW. J. Ewens, A sibship test for linkage in the presence of association : the sib transmissionldisequilibrium test. Am J Hum Genet, 1998. 62 (2): p. 450-8.
35. Tyagi, S., D. P. Bratu,およびF. R. Kramer, Multicolor molecular beacons for allele discrimination. Nat Biotechnol, 1998.16(1) : p. 49-53.
36. Wu, D. Y.およびR. B. Wallace, The ligation amplification reaction (LAR)- amplification of specific DNA sequences using sequential rounds of template dependent ligation. Genomics, 1989.4 (4): p. 560-9.
37. Wu, D. Y.ら, Allele-specific enzymatic amplification of beta-globin genomic DNA for diagnosis of sickle cell anemia. Proc Natl Acad Sci U S A, 1989.86 (8): p. 2757-60.
38. Zhao, L. P.ら, Mapping of complex traits by single-nucleotide polymorphisms. Am J Hum Genet, 1998.63(1) : p. 225-40.
【００１８】
発明の概要
本発明は、一連の精神分裂症に関連する多型マーカーを発見したことに基づく。これらのマーカーは本発明者らがＣｏｎ−２０２と命名したＧ−タンパク質共役型受容体（ＧＰＣＲ）の遺伝子のコード領域ならびにＧ−タンパク質共役型受容体（ＧＰＣＲ）の遺伝子の非コード領域に位置している。Ｃｏｎ−２０２のコード領域および関連する非コード領域を以下に掲載する。イントロン配列は小文字で示し、エキソン配列は大文字で図示している。多型は太字で下線を引いている。
【００１９】
【化１】
2004528847.tif 000002
【００２０】
【化２】
2004528847.tif 000003
【００２１】
上記した配列を本明細書中において以後、配列番号：１という。
本発明は、精神分裂症の診断または精神分裂症を発症する見込みを予測するのに好適なヒトＧ−タンパク質共役型受容体Ｃｏｎ−２０２遺伝子の配列に由来するポリヌクレオチド・フラグメントの最初の記載を含む。さらに、本発明は、診断および予測方法を含む。
【００２２】
本発明の１の具体例は、配列番号：１およびその相補体のヌクレオチドの隣接するスパンからなる、それから実質的になる、またはそれを含むポリヌクレオチドを包含し、ここに該隣接するスパンは少なくとも６、８、１０、１２、１５、２０、２５、３０、３５、４０、５０、７５、１００、２００、５００または８００ヌクレオチド長であり、本発明の１またはそれを超える一塩基多型を含む。
【００２３】
本発明の１の具体例は、ポジション１８４、１０２２、１２９２、１４００、２２９６、２３６９および２７２４の多型部位よりなる群から選択される少なくとも１のＣｏｎ−２０２多型部位を含む配列番号：１またはその相補体の１２ないし２００の隣接ヌクレオチドからなる単離されたポリヌクレオチドを包含する。“１２ないし２００の隣接ヌクレオチド”なる語句に使用するこの定義および以下に記載するすべての他の定義は、１２ないし２００ヌクレオチド長の各々のおよびすべての整数値のポリヌクレオチドを含むことを意味する。
【００２４】
したがって、本発明は、ストリンジェントな条件下で配列番号：１またはその相補体にハイブリダイズする１またはそれを超える一塩基多型を含むプライマーまたはプローブをも包含する。
【００２５】
本発明は、ヌクレオチド・ポジション１８４がヌクレオチドＧまたはＣの群から選択される配列番号：１の１２ないし２００の隣接するヌクレオチドからなる単離されたポリヌクレオチドを提供する。
【００２６】
本発明は、ヌクレオチド・ポジション１０２２がヌクレオチドＣまたはＡの群から選択される配列番号：１の１２ないし２００の隣接するヌクレオチドからなる単離されたポリヌクレオチドを提供する。
【００２７】
本発明は、ヌクレオチド・ポジション１２９２がヌクレオチドＣまたはＴの群から選択される配列番号：１の１２ないし２００の隣接するヌクレオチドからなる単離されたポリヌクレオチドを提供する。
【００２８】
本発明は、ヌクレオチド・ポジション１４００がヌクレオチドＣまたはＴの群から選択される配列番号：１の１２ないし２００の隣接するヌクレオチドからなる単離されたポリヌクレオチドを提供する。
【００２９】
本発明は、ヌクレオチド・ポジション２２９６がヌクレオチドＡまたはＴの群から選択される配列番号：１の１２ないし２００の隣接するヌクレオチドからなる単離されたポリヌクレオチドを提供する。
【００３０】
本発明は、ヌクレオチド・ポジション２３６９がヌクレオチドＧまたはＡの群から選択される配列番号：１の１２ないし２００の隣接するヌクレオチドからなる単離されたポリヌクレオチドを提供する。
【００３１】
本発明は、ヌクレオチド・ポジション２７２４がヌクレオチドＡまたはＧの群から選択される配列番号：１の１２ないし２００の隣接するヌクレオチドからなる単離されたポリヌクレオチドを提供する。
【００３２】
これらのセグメントの相補体も包含される。セグメントはＤＮＡであってもＲＮＡであってもよく、そして二本鎖であっても一本鎖であってもよい。セグメントは１０−２０または１０−５０塩基長である場合もある。好ましいセグメントは約１２−２００塩基長である。
【００３３】
さらに、本発明は、配列番号：１に示す配列またはその相補体にハイブリダイズする対立遺伝子特異的オリゴヌクレオチドを提供する。これらのオリゴヌクレオチドはプローブまたはプライマーとなり得る。
【００３４】
さらに、本発明は、個体からＣｏｎ−２０２をコードする核酸分子またはそのフラグメントを得；ついでポジション１８４、１０２２、１２９２、１４００、２２９６、２３６９および２７２４の多型部位よりなる群から選択される少なくとも１の多型部位を占めるヌクレオチドに対応する該核酸からヌクレオチドを決定することを含む、個体からのＣｏｎ−２０２またはそのフラグメントをコードする核酸分子を分類する方法を提供する。
【００３５】
したがって、さらに、本発明は、配列番号：１のポジション１８４、１０２２、１２９２、１４００、２２９６、２３６９および２７２４の１またはそれを超えるヌクレオチドを含む核酸を含む患者から材料を得ることによって患者のＣｏｎ−２０２ハプロタイプの存在または不存在を判定し、ついでＣｏｎ−２０２ハプロタイプを判定することによって、精神分裂症を診断する方法またはそれに対する素因を判定する方法を提供する。
【００３６】
配列表の簡単な説明
配列番号：1  ポジション１８４、１０２２、１２９２、１４００、２２９６、２３９６および２７２４に特記する変異を有するＣｏｎ−２０２の天然ＤＮＡ配列。
配列番号：2 ＰＣＲプライマー−実施例１
配列番号：3 ＰＣＲプライマー−実施例１
配列番号：4 ＰＣＲプライマー−実施例１
配列番号：5 ＰＣＲプライマー−実施例１
配列番号：6 TaqMan Probe-表３
配列番号：7 TaqMan Probe-表３
配列番号：8 TaqMan Probe-表３
配列番号：9 TaqMan Probe-表３
配列番号：10 TaqMan Probe-表３
配列番号：11 TaqMan Probe-表３
配列番号：12 TaqMan Probe-表３
配列番号：13 TaqMan Probe-表３
配列番号：14 TaqMan Probe-表３
配列番号：15 TaqMan Probe-表３
配列番号：16 ＰＣＲプライマー−表３
配列番号：17 ＰＣＲプライマー−表３
配列番号：18 ＰＣＲプライマー−表３
配列番号：19 ＰＣＲプライマー−表３
配列番号：20 ＰＣＲプライマー−表３
配列番号：21 ＰＣＲプライマー−表３
配列番号：22 ＰＣＲプライマー−表３
配列番号：23 ＰＣＲプライマー−表３
配列番号：24 ＰＣＲプライマー−表３
配列番号：25 ＰＣＲプライマー−表３
【００３７】
発明の詳細な説明
定義
本明細書中で使用する“対立遺伝子”なる語は、ヌクレオチド配列の変異をいう。
“精神分裂症に作用する剤”には、精神分裂症の１またはそれを超える症状を扱う（address）、低下または緩和する当該技術分野において知られているいずれの薬剤または化合物も含まれる。“精神分裂症に作用する剤”には、当該技術分野において知られている精神分裂症に関与する酵素または調節分子の活性または濃度を調節するいずれの薬剤または化合物も含まれる。精神分裂症に作用する剤には、限定されるものではないが、ソラジン（Thorazine）、メラリル（Mellaril）、モードケート（Modecate）、プロリキシン（Prolixin）、ネバネ（Navane）、ステラジン（Stelazine）、ハルドール（Haldol）、 リスペリドン（リスペルダール(Risperdal)）、クロザピン (クロザリル（Clozaril））、オラザピン(ジプレキサ(Zyprexa))およびクエチアピン（セロクエル (Seroquel)）が含まれる。
【００３８】
“精神分裂症に作用する剤に対する応答”なる語句は、限定するものではないが、化合物を代謝する能力、プロドラッグを有効剤に変換する能力、および個体における薬剤のファーマコキネティクス（吸収、分布、除去）およびファーマコダイナミクス（受容体関連）を含む薬剤の効力をいう。“精神分裂症に作用する剤に対する副作用”なる語句は、薬剤の主要な薬理学的作用の拡張から生じる療法の悪い作用、またはユニークな宿主因子と薬剤との相互作用から生じる個体特有の悪い反応をいう。“精神分裂症に作用する剤に対する副作用”には、限定されるものではないが、起立性高血圧症、かすむ視界（blurred vision）、ドライマウス、鼻詰まりおよび便秘のごとき自律神経系の副作用が含まれる。“精神分裂症に作用する剤に対する副作用”には、不安症、睡眠障害、性的機能不全症、胃腸障害、悪心、下痢、起立効果、めまい、鎮静、高血圧症、ショック、無運動（動作緩慢）、アカシジア（レストレス・リム（restless limbs））および遅発性ジスキネジア（恒久的で、不可逆的な運動障害）も含まれる。
【００３９】
本明細書中で用いる“相補性”または“その相補体”なる用語は、相補領域の全体を通してもう１の特異的なポリヌクレオチドとワトソン・クリック塩基対形成を形成することができるポリヌクレオチドの配列をいう。この用語は、その配列に唯一基づくポリヌクレオチドの対に適用し、２のポリヌクレオチドが実際に結合するいずれの特定の一連の条件に対して適用するものではない。
【００４０】
本明細書中で用いる“遺伝子型”なる用語は、個体または試料中に存在する対立遺伝子の同一性をいう。本発明の趣旨においては、遺伝子型は、好ましくは個体または試料中に存在する多型対立遺伝子の説明をいう。多型マーカーについて試料または個体を“遺伝子型決定する”なる語句は、多型マーカーで個体によって運搬される特定の対立遺伝子または特定のヌクレオチドを判定することからなる。
【００４１】
本明細書中で用いる“ヘテロ接合の割合”なる用語は、特定の対立遺伝子においてヘテロ接合体である、集団中の個体の発生率をいう。多型系においては、ヘテロ接合の割合は、２Ｐａ（１−Ｐａ）（式中、Ｐａは最小共通対立遺伝子（least common allele）の頻度である）に等しい。遺伝的研究において有用であるためには、遺伝子マーカーは十分なレベルのヘテロ接合を有して、無作為に選択した個体がヘテロ接合である妥当な確率を許容するものであるべきである。
【００４２】
本明細書中で用いる“突然変異”なる語は、１％未満の頻度を有するゲノム間または個体間の、またはそれらの中に存在するＤＮＡ配列中の相違をいう。
“ハプロタイプ”なる語句は、１の染色体上の実際の対立遺伝子の組合せをいう。本発明の趣旨においては、ハプロタイプは、所定の個体に見出され、表現型と関連し得る多型の組合せをいう。
【００４３】
本明細書中で用いる“多型”なる語句は、異なるゲノムまたは個体の間またはそれらの中において２またはそれを超える別のゲノム配列または対立遺伝子の発生をいう。“多型”とは、特定のゲノム配列の２またはそれを超える変異が集団中に見出される状態をいう。“多型部位”とは、変異が発生している遺伝子座である。多型とは、集団における２またはそれを超える遺伝学的に決定した別の配列または対立遺伝子の発生をいう。好ましい多型は、少なくとも２の対立遺伝子を有し、それらの各々が選択した集団中で１％よりも大きな、より好ましくは１０％または２０％よりも大きな頻度で発生する。多型遺伝子座は、１塩基対ほども小さい場合もある。多型マーカーには、制限断片長多型、ＶＮＴＲ、超可変領域、ミニサテライト、ジヌクレオチド・リピート、トリヌクレオチド・リピート、テトラヌクレオチド・リピート、単純な配列リピート、およびＡｌｕのごとき挿入配列が含まれる。最初に同定された対立遺伝子の形態を、参照形態と任意に命名し、他の対立遺伝子形態を別または変異対立遺伝子と命名する。選択した集団中で最も頻繁に発生する対立遺伝子形態を、野生型という場合もある。二倍体生物は、対立遺伝子について同型接合またはヘテロ接合となり得る。二重対立遺伝子多型は２の形態を有する。三重対立遺伝子多型は３の形態を有する。“一塩基多型”（ＳＮＰ）は、一塩基対の変化である。一塩基多型は、対立遺伝子配列間の変異の部位である一ヌクレオチドによって占められる多型部位で発生する。該部位は、通常、高度に保存された対立遺伝子の配列（例えば、集団の１／１００または１／１０００未満のメンバーで変化している配列）の前にくるか、またはその後にくる。一塩基多型は、通常、多型部位における１のヌクレオチドが他のヌクレオチドに置換することに起因して発生する。トランジションは１のプリンの他のプリンによるまたは１のピリミジンの他のピリミジンによる置換である。
【００４４】
トランスバージョンは、プリンのピリミジンによる置換またはその逆である。一塩基多型は、参照対立遺伝子に対するヌクレオチドの欠失またはヌクレオチドの挿入からも生じ得る。一ヌクレオチドの変化が制限部位の破壊または創製を生じ得ることは注意しなければならない。したがって、一塩基多型がそれ自体で制限断片長多型として存在する可能性もある。
【００４５】
一塩基多型（ＳＮＰ）は、ＲＦＬＰおよびＶＮＴＲと同様にして使用することができるが、それは幾つかの利点を提供できる。一塩基多型はより高い頻度で発生し、他の形態の多型よりもゲノム全体にわたってより均一に離れている。ＳＮＰはほぼ１／１０００塩基対の頻度で発生し、１％以上の頻度を有する最小豊富対立遺伝子の要件によって希有な（rare）変異または突然変異から区別される (Brookes, 1999)。
【００４６】
ＳＮＰの例には：
１.遺伝子によってコードされるタンパク質産物中の１のアミノ酸を置換する非−同義コード領域変化、
２．遺伝コードの縮重に起因してアミノ酸コード配列を変化させる同義変化、
３．遺伝子の転写を変化させ得るかまたは変化させ得ないプロモーター、エンハンサーまたは他の遺伝子制御エレメント配列中の変化、
４．ｍＲＮＡ中、特にリボソーム結合、開始または翻訳の効率を変化させ得る５’末端、またはｍＲＮＡ安定性を変化させ得る３’末端の非翻訳領域中の変化、および
５．転写のスプライシングまたは他の遺伝子調節エレメントの機能を変化させ得るイントロン領域内の変化。
【００４７】
“二重対立遺伝子多型”および“二重対立遺伝子マーカー”なる語句は、本明細書中では互換的に用い、集団中でかなり高頻度で２の対立遺伝子を有する多型、好ましくは単一ヌクレオチド多型をいう。“二重対立遺伝子マーカー対立遺伝子”とは、二重対立遺伝子マーカー部位に存在するヌクレオチド変異をいう。典型的には、本発明の二重対立遺伝子マーカーの最小共通対立遺伝子は１％を超えること、好ましくは１０％を超える、より好ましくは少なくとも２０％（すなわち、少なくとも０.３２のヘテロ接合割合）、なおより好ましくは少なくとも３０％（すなわち、少なくとも０.４２のヘテロ接合割合）であることが確認されている。最小共通対立遺伝子の頻度が３０％以上の二重対立遺伝子マーカーを“高品質二重対立遺伝子マーカー”と命名する。
【００４８】
本明細書中で用いる“Ｃｏｎ−２０２多型”または“Ｃｏｎ−２０２多型部位”なる語句は、本明細書中で開示するＣｏｎ−２０２の遺伝子内の多型または多型部位を意味する。この語句は、Ｃｏｎ−２０２コード配列、イントロン領域およびフランキング領域内の多型部位の多型を包含する。“Ｃｏｎ−２０２多型”は有用性を有するためにＣｏｎ−２０２タンパク質産物中のアミノ酸を変化させる必要はない。Ｃｏｎ−２０２多型なる用語は、一塩基多型、二重対立遺伝子ほかのものを包含し、本明細書中の表１に記載する多型である。Ｃｏｎ−２０２一塩基多型は、１のヌクレオチドの変化を反映する多型である。“少なくとも１のＣｏｎ−２０２多型部位”なる語句は、本明細書の表１に詳記するものから選択されるＣｏｎ−２０２遺伝子内の少なくとも１の多型部位を意味する。
【００４９】
本明細書中で互換的に使用するごとく、“オリゴヌクレオチド”および“ポリヌクレオチド”には、一本鎖または二本鎖形態のいずれかの１を超えるヌクレオチドのＲＮＡ、ＤＮＡまたはＲＮＡ／ＤＮＡハイブリッド配列を包含する。本明細書中にて形容詞として用いる“ヌクレオチド”なる語句は、一本鎖または二本鎖形態のいずれかの長さのＲＮＡ、ＤＮＡまたはＲＮＡ／ＤＮＡハイブリッド配列を含む分子を説明する。“ヌクレオチド”なる語句は、個々のヌクレオチドまたは種々のヌクレオチドをいう名詞としても本明細書中では用い、プリンまたはピリミジン、リボースまたはデオキシリボース糖基およびリン酸基またはヌクレオチドの場合にはホスホジエステル結合をオリゴヌクレオチドまたはポリヌクレオチド内に含む分子またはより大きな核酸分子を意味する。本明細書中ので用いる“ヌクレオチド”なる語句は、（ａ）別の結合基、（ｂ）アナログ形態のプリン、（ｃ）アナログ形態のピリミジン、または（ｄ）類似の糖、例えば、類似する結合基、プリン、ピリミジンおよび糖の少なくとも１の修飾を含む“修飾ヌクレオチド”包含する。例えば、国際公開WO95／04064を参照されたい。しかしながら、本発明のポリヌクレオチドは、好ましくは５０％を超える通常のデオキシリボースヌクレオチド、最も好ましくは９０％を超える通常のデオキシリボースヌクレオチドからなる。本発明のポリヌクレオチド配列は、合成、組換え、エクス・ビボ(ex vivo)生成、またはそれらの組合せ、ならびに当該技術分野で知られているいずれかの精製方法を利用することを含むいずれかの知られている方法によって調製し得る。
【００５０】
ポリヌクレオチドの中心に対するポリヌクレオチド中のヌクレオチドのロケーションを以下のようにして本明細書中に記載する。ポリヌクレオチドが奇数数のヌクレオチドを有する場合、ポリヌクレオチドの３’末端および５’末端から等しい距離にあるヌクレオチドをポリヌクレオチドの“中心にある”とみなし、中心のヌクレオチドの直近のいずれのヌクレオチドまたは中心のヌクレオチド自体を“中心の１ヌクレオチド以内”とみなす。ポリヌクレオチド中に奇数の数のヌクレオチドを有する場合、ポリヌクレオチドの中間の５のヌクレオチド・ポジションのいずれかを中心の２ヌクレオチド以内とみなすなど。ポリヌクレオチドが偶数の数のヌクレオチドを有する場合、ポリヌクレオチドの中心には結合が存在し、ヌクレオチドは存在しない。したがって、２の中心のヌクレオチドのいずれかを“中心の１ヌクレオチド以内”とみなし、ポリヌクレオチドの中間の４のヌクレオチドのいずれかを“中心の２ヌクレオチド以内”とみなすなど。１またはそれを超えるヌクレオチドの置換、挿入または欠失を含む多型については、多型の３'の置換、挿入、または欠失したポリヌクレオチドおよびポリヌクレオチドの３’末端からの距離と、多型の置換、挿入または欠失したポリヌクレオチドおよびポリヌクレオチドの５’末端からの距離との差が０または１の場合に、多型、対立遺伝子または二重対立遺伝子マーカーはポリヌクレオチドの“中心で”である。この差が０ないし３の場合には、多型は“中心の１ヌクレオチド以内”とみなす。差が０ないし５である場合、多型は“中心の２ヌクレオチド以内”であるとみなす。差が０ないし７の場合には、多型は“中心の３ヌクレオチド以内”とみなすなど。１またはそれを超えるヌクレオチドの置換、挿入または欠失を含む多型については、多型の置換、挿入、または欠失したポリヌクレオチドおよびポリヌクレオチドの３’末端からの距離と、多型の置換、挿入または欠失したポリヌクレオチドおよびポリヌクレオチドの５’末端からの距離との差が０または１の場合に、多型、対立遺伝子または二重対立遺伝子マーカーはポリヌクレオチドの“中心で”である。この差が０ないし３の場合、多型は“中心の１ヌクレオチド以内”とみなす。差が０ないし５の場合、多型は“中心の２ヌクレオチド以内”とみなす。差が０ないし７の場合、多型は“中心の３ヌクレオチド以内”とみなすなど。
ポリヌクレオチドの末端に対するポリヌクレオチド中のヌクレオチドのロケーションは以下の様式で本明細書中に記載する。ヌクレオチドは、それがポリヌクレオチドの５’または３’末端のいずれかに存在する場合に、ポリヌクレオチドの“末端に”存在する。本明細書中で用いる“上流”なる語は、特定の参照点からポリヌクレオチドの５’末端に向けてのロケーションをいう。“塩基対”および“ワトソン・クリック塩基対形成”なる語句は、本明細書中で互換的に用いて、２の水素結合によってアデニン残基に結合するチミンまたはウラシル残基ならびに３の水素結合によって結合するシトシンおよびグアニン残基を有する二重らせんＤＮＡに見出される要式のその配列同一性によって他のものに水素結合し得るヌクレオチドをいう（Stryer, L., Biochemistry, 4 edition, 1995参照されたい)。
【００５１】
本明細書中で用いる“精製（した）”なる用語は、限定するものではないが、他の核酸、炭水化物、脂質およびタンパク質（ポリヌクレオチドの合成において使用する酵素のごとき）を含むほかの化合物から単離されている本発明のポリヌクレオチドまたはポリヌクレオチド・ベクター、あるいは線状ポリヌクレオチドから共有的に閉環したポリヌクレオチドの分離を説明している。ポリヌクレオチドは、試料の少なくとも約５０％、好ましくは６０ないし７５％が単一のポリペプチド配列およびコンホメーション（線状−対−共有的閉環）を示す場合に、実質的に純粋である。実質的に純粋なポリヌクレオチドは、典型的には、約５０％、好ましくは６０ないし９０％重量／重量の核酸試料、より通常には約９５％の核酸を含み、好ましくは約９９％を超えて純粋である。ポリヌクレオチド純度または均一性は、試料のアガロースまたはポリアクリルアミドゲル電気泳動につづく該ゲルを染色した際の単一のポリヌクレオチドバンドを視覚化のごとき当該技術分野でよく知られている多数の手段によって示し得る。特定の目的については、ＨＰＬＣまたは当該技術分野でよく知られている他の手段を用いることによってより高分解能を提供し得る。
【００５２】
プライマーなる用語は、適当な緩衝液および好適な温度の適当な条件下（すなわち、４の異なるヌクレオシド三リン酸およびＤＮＡまたはＲＮＡポリメラーゼまたは逆転写酵素のごとき重合用剤の存在下）でテンプレート−指向性ＤＮＡ合成を開始する点として作用することができる一本鎖オリゴヌクレオチドをいう。プライマーの適当な長さは、プライマーの意図する用途に依存するが、典型的には１５ないし３０ヌクレオチドの範囲である。プライマーが短ければ、一般的に、テンプレートと安定なハイブリッド複合体を十分に形成するのにより低温を必要とする。プライマーは必ずしもテンプレートの正確な配列を反映しなくてもよいが、テンプレートとハイブリダイズするのに十分に相補的でなければならない。プライマー部位なる語は、プライマーがハイブリダイズするターゲットＤＮＡの領域をいう。プライマー対なる語は、増幅するＤＮＡ配列の５’末端とハイブリダイズする５’上流プライマーおよび増幅する配列の３’末端の相補体とハイブリダイズする３’下流プライマーを含むセットのプライマーをいう。
【００５３】
“プローブ”または“ハイブリダイゼーション・プローブ”なる語句は、試料中に存在する特定のポリヌクレオチド配列を同定するために用いることができる定義された核酸セグメント（またはヌクレオチド・アナログ・セグメント、例えば本明細書中に定義するポリヌクレオチド）を示し、該核酸セグメントにはハイブリダイゼーションによって同定する特定のポリヌクレオチド配列のヌクレオチド配列相補体が含まれる。“プローブ”または“ハイブリダイゼーション・プローブ”は、核酸の相補鎖に塩基−特異様式で結合することができる核酸である。かかるプローブには、Nielsenら, Science 254,1497-1500 (1991)に記載されているごときペプチド核酸が含まれる。ハイブリダイゼーション−は、通常、“ストリンジェントな条件下”、例えば１Ｍ以下の塩濃度および少なくとも２５℃の温度で行う。例えば、５×ＳＳＰＥ（７５０ｍＭのＮａＣｌ、５０ｍＭのリン酸ナトリウム、５ｍＭのＥＤＴＡ、ｐＨ７.４）および２５−４０℃の温度の条件が対立遺伝子−特異的プローブハイブリダイゼーションに好適である。この特定の緩衝液組成物を例として提供したが、当業者であれば等しい好適性の他の組成物に簡単に置換し得るであろう。
【００５４】
本明細書中で用いる“シークエンシング”なる用語は、核酸中のヌクレオチドの順番を決定するプロセスを意味する。核酸をシークエンシングするための種々の方法が当該技術分野において知られている。かかるシークエンシング方法には、例えば、出典明示して本明細書の一部とみなすSangerら, Proc. Natl. Acad. Sci. 74: 5463 (1977)（また、出典明示して本明細書の一部とみなす“DNA Sequencing”Sambrookら (編者), Molecular Cloning: A Laboratory Manual (第二版), Plainview, N. Y.: Cold Spring Harbor Laboratory Press (1989)も参照されたい）に記載されているジデオキシ鎖停止のサンガー法が含まれる。イー・コリ（E.coli)ポリメラーゼＩのクレノーフラグメント；Sequenase TM（Ｔ７  ＤＮＡポリメラーゼ）；Ｔａｑ ＤＮＡポリメラーゼおよびAmplitaqを含む種々のポリメラーゼを酵素的シークエンシング方法に用いることができる。よく知られているシークエンシング方法には、ＤＮＡのマキサム−ギルバート化学分解も含まれる(出典明示して本明細書の一部とみなす、MaxamおよびGilbert, Methods Enzymol. 65: 499 (1980)および"DNA Sequencing"in Sambrookら,前掲, 1989)を参照されたい）。当業者であれば、現在は、シークエンシングが自動化方法の支援で行う場合があることを認識する。
【００５５】
“精神分裂症”なる語は、その慣用的な意味を有し、例えばＤＳＭ−ＩＩＩ−Ｒに記載の症状の型によって特徴付けられる精神的疾患をいう。
【００５６】
“形質”および“表現型”なる語は本明細書中では互換的に用い、例えば疾患の症状または疾患に対する感受性のごとき生物のいずれかの目に見える、検出可能ほかの測定し得る特性をいう。典型的には、本明細書中で用いる“形質”または“表現型”なる用語は、精神分裂症の症状またはそれに対する感受性をいい；あるいは、精神分裂症に作用する剤に対する個体の応答をいい；あるいは、精神分裂症に作用する剤に対する副作用の症状またはそれに対する感受性をいう。
【００５７】
本発明の多型
Ｃｏｎ−２０２  ｃＤＮＡのヌクレオチド配列およびアミノ酸配列は、出典明示して本明細書の一部とみなす、１９９９年１０月２７日に出願された米国特許出願09／427,653号および２０００年１０月２７日に出願された米国特許出願09／698,419号に以前に開示されている。
【００５８】
イン・サイチュ・ハイブリダイゼーション分析は、皮質領域、外側嗅核（lateral olfactory nucleus(Lat. olf. nu.)）、海馬、視床下核にＣｏｎ−２０２のｍＲＮＡが存在すること、および黒質−緻密部において低レベルで存在することを示している。Ｃｏｎ−２０２が発現している領域は脳の辺縁および神経内分泌回路の中である。
【００５９】
Ｃｏｎ−２０２をコードする遺伝子の染色体ロケーションは、Stanford G3 Radiation Hybrid Panel (Research Genetics, Inc., Huntsville, AL)を用いて決定した。このパネルには、Stanford Human Genome Centerによって作成された全ヒトゲノムの８３のラディエーション（radiation）ハイブリッドクローンが含まれる。ＰＣＲプライマーを配列番号：１中の配列から設計して、どのレーンがＰＣＲ産物を与えるかを決定した。レーンを、予想したＰＣＲ産物の存在または不存在について等級付けし、その結果を分析するためにe-mailを介してStanford Human Genome Centerに提出した。Ｃｏｎ−２０２の分析により、それは第７染色体上に位置決定され、１０．３６のＬＯＤスコアでStanfordマーカーＳＨＧＣ−１２０２１に最も近く連鎖した。このマーカーはポジション７ｑ３１に存在している。フィンランド人の集団における精神分裂症を見る１の研究により、精神分裂症と連鎖を示す染色体７ｑ２２上の領域が見出された（Ekelund 2000)。３．５３の最大ｌｏｄスコアはマーカーＤ７Ｓ５０１とＤ７Ｓ５２３との間に存在した。連鎖に関する最強の証拠はマーカーＤ７Ｓ５０１とＤ７Ｓ５２３との間に存在するが、ほぼ１２センチモルガン（ｃＭ）にひろがるマーカー中の第７染色体に対する精神分裂症の明らかな連鎖の事実が存在する。マーカーＳＨＧＣ−１２０２１（ここにＣｏｎ−２０２が位置決定された）は、マーカーＤ７Ｓ５２３からほぼ１ｃＭ離れており、Ｃｏｎ−２０２は１２ｃＭの広がりの中に位置することになる。本発明者らは、Ｃｏｎ−２０２遺伝子配列内に７の一塩基多型（ＳＮＰｓ）を同定した。
【００６０】
【表１】
2004528847.tif 000004
【００６１】
上記したように、配列番号：１のポジション１８４のＣｏｎ−２０２一塩基多型をＳ１と命名し、配列番号：１のポジション１０２２のＣｏｎ−２０２一塩基多型をＳ２と命名し、配列番号：１のポジション１２９２のＣｏｎ−２０２一塩基多型をＳ３と命名し、配列番号：１のポジション１４００のＣｏｎ−２０２一塩基多型をＳ４と命名し、配列番号：１のポジション２２９６のＣｏｎ−２０２一塩基多型をＳ５と命名し、配列番号：１のポジション２３６９のＣｏｎ−２０２一塩基多型をＳ６と命名し、配列番号：１のポジション２７２４のＣｏｎ−２０２一塩基多型をＳ７と命名する。
【００６２】
問題の多型がすでに特徴付けられているかに依存して２の異なるタイプの解析が存在する。第１のタイプの解析は、デノボ同定といわれる場合もある。第２のタイプの解析は、同定した多型のいずれの形態（群）が個体に存在するかを試験で決定することである。第１のタイプの解析は異なる個人でターゲット配列を比較して、変異点、すなわち多型部位を同定する。ヒトの中で最大の人種的多様性を表すならびに植物および動物における最大の品種および種群の多様性を表す個体の群を分析することにより、遺伝子座の最も一般的な対立遺伝子／ハプロタイプに特徴的なパターンを同定することができ、集団におけるかかる集団の頻度を決定する。さらなる対立遺伝子頻度は、地理、人種または性別のごとき基準によって特徴付けられる亜集団について決定し得る。本発明の多型のデノボ同定を説明する実施例を以下に記載する。
【００６３】
実施例１
本発明の多型のデノボ同定
材料および方法
ＤＮＡ試料
ＤＮＡ試料は無症候性の個人からの匿名血液試料から得た。ＤＮＡはQiaAmp DNA blood mini kit (Qiagen)を用いて調製した。試料はPopulation Control Western Michigan試料といい、ＣＯＮ１０１と標識した。
【００６４】
Ｃｏｎ−２０２のＰＣＲ増幅
配列番号：１のヌクレオチド１−１２７１にひろがるフラグメントを、３２μｌの水、５μｌの１０×ＴＴ緩衝液（１４０ｍＭの硫酸アンモニウム、０.１％のゼラチン、０.６ＭのＴｒｉｓ−トリシン  ｐＨ８.４）、５μｌの１５ｍＭ  ＭｇＳＯ４、２μｌの１０ｍＭ  ｄＮＴＰ、５μｌのＣＯＮ０１  ＤＮＡ（５μ／μｌ）、０.３μｌのＬＷ１７７６（１μｇ／μｌ）（ＧＡＧＧＡＡＧＣＣＧＡＴＴＴＣＣＣＴＧＧ--配列番号：２）、０.３μｌのＬＷ１４７８（１μｇ／μｌ）（ＣＡＣＡＡＡＴＧＧＧＡＡＡＣＡＡＡＴＴＧＣ--配列番号：３）、０.４μｌのExpand High Fidelity酵素混合物（３.５Ｕ／μｌ）（Roche）を含有する５０μｌの反応物のＰＣＲによって作成した。そのＰＣＲ反応物をGeneAmp 9600 PCRサーモサイクラー（Perkin Elmer Applied Biosystems）中でインキュベートした。サイクルプログラムは以下のとおりである：９４℃にて２分を１サイクル、ついで[（９４℃にて１５秒）→（サイクル毎に１℃低下させる６８℃にて２分）→（７２℃にて１.３分）]を１０サイクル、その後、[（９４℃にて１５秒）→（５８℃にて３０秒）→（７２℃にて１.３分）]を５０サイクル、ついで７２℃にて２分。
【００６５】
配列番号：１のヌクレオチド１０３７−３０６４にひろがるフラグメントは、３７μｌの水、５μｌの１０×ＴＴ緩衝液、５μｌの１５ｍＭ  ＭｇＳＯ４、２μｌの１０ｍＭ  のｄＮＴＰ、０.３μｌのＬＷ１４８２（１μｌ／μｌ）（ＡＧＣＴＡＴＧＧＣＧＡＡＣＴＡＴＡＧＣＣＡＴＧＣＡＧＣ--配列番号：４)、０.３μｌのＬＷ１７７７（１μｇ／μｌ）（ＡＧＡＴＧＣＡＴＧＡＣＣＡＴＧＡＣＣＡＧ--配列番号：５）、０.４μｌのExpand High Fidelity酵素混合物(３.５Ｕ／μｌ)(Roche)および２５ｎｇのＣＯＮ１０１からの乾燥させた（dried down）ＤＮＡを含有する５０μｌの反応物でＰＣＲによって作成した。そのＰＣＲ反応物をGeneAmp 9600 PCRサーモサイクラー（Perkin Elmer Applied Biosystems）中でインキュベートした。サイクルプログラムは以下のとおりである：９４℃にて２分を１サイクル、ついで[（９４℃にて１５秒）→（サイクル毎に１℃低下させる６６℃にて２分）→（７２℃にて２分）]を１０サイクル、その後、[（９４℃にて１５秒）→（５６℃にて３０秒）→（７２℃にて２分）]を５０サイクル、ついで７２℃にて７分。
【００６６】
ＰＣＲ産物はMultiScreen−PCR Filter Plates（Millipore）を用いて精製した。そのＰＣＲ反応物をプレートに流し、そのプレートをMultiScreenマニホールド（Millipore）の頂部に置き、２４インチＨｇの真空を５−１０分間加えた。プレートをマニホールドから取り除き、各ウェルに５０μｌの水を加えた。そのプレートをプレートミキサーに置き、５分間激しく振動させた。精製したＰＣＲ産物を各ウェルから回収し、新たな９６ウェル反応プレートに置いた。
【００６７】
ＤＮＡシークエンシング
ＰＣＲフラグメントはＡＢＩ３７７蛍光ベースのシークエンサー（Perkin Elmer/Applied Biosystems Division, PE/ABD, Foster City, CA)およびTaq FSTM ポリメラーゼを含むABI BigDyeTMTerminator Cycle Sequencing Ready Reaction キットを用いて直接配列決定した。各サイクルシークエンシング反応物には、９.６μｌの水、８.４μｌのBigDye Terminator混合物(８μｌのBig Dye Terminatorおよび０.４μｌのＤＭＳＯ)、１μｌのＤＮＡ（〜０.５μｇ）および１μｌのプライマー（２５ｎｇ／μｌ）が含まれ、Perkin−Elmer 9600で行った。サイクル−シークエンシングは９８℃にて１分間の初期変性、つづいて５０サイクルの：９６℃にて３０秒、５０℃にて３０秒のアニーリング、および６０℃にて４分間の伸長を用いて行う。伸長産物はＡＧＴＣＲゲル濾過ブロック（Edge BiosSystems, Gaithersburg, MD)を用いて精製した。各反応産物をピペットでカラムに流し、ついでそれをスイング式ローター型遠心機（Sorvall model RT6000B tabletop  centrifuge)中、７５０ｘｇ、室温にて２分間遠心した。カラム精製した試料を真空下にて約６０分間乾燥させ、ついで２μｌのＤＮＡ負荷溶液（８３％の脱イオンホルムアミド、８.３ｍＭのＥＤＴＡ、および１.６ｍｇ／ｍｌのBlue Dextran）に溶解した。ついで、その試料を９０℃にて２.３分間加熱し、０.７５μｌの各試料を、ABI377シークエンサーによる配列分析のためにゲル試料ウェルに負荷した。配列クロマトグラフィーは、コンピュータプログラムPOLYPHREDを用いて解析した。Nickerson, D. A. (1997) Nucleic Acids Research, 25 (14), pp. 2745-2751.
【００６８】
結果
本発明者らがPopulation Control Western Michigan試料（ＣＯＮ０１と標識）という７２の個体からのＤＮＡを含有するプレートは、前記したプライマーを用いて増幅させた。ＰＣＲ産物を精製し、配列決定した。クロマトグラフは、コンピュータプログラムPOLYPHREDを用いて分析し、それは７２の個体の配列を比較し、配列中の差異を示す。合計７のＳＮＰｓを同定した。その結果の要約を下記の表２に示す。
【００６９】
【表２】
2004528847.tif 000005
【００７０】
１のＳＮＰはイントロン２の中に存在し、１は５’非翻訳領域（開始メチオニンの１９塩基対５’側）の中に存在し、２はコード領域中に存在し、３は３’非翻訳領域中に存在する。ＳＮＰのロケーションは、配列番号：１中の配列に対してヌクレオチド１８４、１０２２、１２９２、１４００、２２９６、２３６９および２７２４である。各ＳＮＰの希有な対立遺伝子の頻度は、各々、１３.９、２１.１、１０.９、１０.９、７.５、３.２および３７％である。コード領域中のいずれのＳＮＰもアミノ酸を変化させないが、７２の個体の比較によって２のＳＮＰは一緒に分離するが、ヘテロ接合体のハプロタイプがわからなければ２のＳＮＰが連鎖していない可能性がある。Ｃｏｎ−２０２について本発明者らが単離されたゲノムクローンには、コード領域中に見出された２のＳＮＰについての希有な対立遺伝子が含まれる。
【００７１】
関連研究
前記したごとく多型を同定したら、試験下でいずれの形態（群）の同定した多型が個体に存在するかを決定することが望ましくなる。このことは、疾病状態とそれらの可能性のある関連とについてさらに多型を特徴付けることにおいて重要となる。かかる関連を決定したら、勿論、同じ方法を診断および予報目的で使用し得る。特定のヌクレオチドポジションの同一性を決定することにおいては、種々の好適な手法が存在する。つぎにそれを論じる。
【００７２】
多型の解析
Ａ．試料の調製
多型は、分析する個体からのターゲット核酸中で検出する。ゲノムＤＮＡのアッセイについては、実質的にいずれの生物試料（純粋な赤血球以外）も好適である。例えば、簡便な組織試料には全血、精液、唾液、涙、尿、糞物質、汗、口内、皮膚および毛髪が含まれる。ｃＤＮＡまたはｍＲＮＡのアッセイについては、組織試料はターゲット核酸が発現されている器官から得なければならない。
【００７３】
下記の方法の多くがターゲット試料からのＤＮＡの増幅を必要とする。これは、ＰＣＲによって行うことができる。一般的には、PCR Technology: Principles and Applications for DNA Amplification (編者H. A. Erlich, Freeman Press, N. Y., N. Y., 1992); PCR Protocols: A Guide to Methods and Applications (編者 Innisら, Academic Press, San Diego, Calif., 1990); Mattilaら, Nucleic Acids Res. 19, 4967 (1991); Eckertら, PCR Methods and Applications 1, 17 (1991); PCR (編者 McPhersonら, IRL Press, Oxford); および米国特許第4,683,202号を参照されたい(各々、すべての目的につき出典明示して本明細書の一部とみなす)。
【００７４】
他の好適な増幅方法には、リガーゼ連鎖反応（ＬＣＲ）(WuおよびWallace, Genomics 4,560 (1989), Landegrenら, Science 241, 1077 (1988)、転写増幅(Kwohら, Proc. Natl. Acad. Sci. USA 86, 1173 (1989))、およびSelf-sustained sequence replication (Guatelliら, Proc. Nat. Acad. Sci. USA, 87,1874 (1990))ならびに核酸ベース配列増幅(ＮＡＳＢＡ)が含まれる。後者の２の増幅方法には等温転写をベースとする等温反応が含まれ、これらは、増幅産物として各々約３０または１００−対−１の比で一本鎖ＲＮＡ（ｓｓＲＮＡ）および二本鎖ＤＮＡ（ｄｓＤＮＡ）の両方を生成する。
【００７５】
Ｂ.ターゲットＤＮＡ中の多型の検出
１．対立遺伝子特異的プローブ
多型を解析するための対立遺伝子特異的プローブの設計および使用は、例えば、Saikiら, Nature 324,163-166 (1986); Dattagupta, EP 235,726、Saiki, WO 89/11548によって記載されている。対立遺伝子特異的プローブは、２の個体からの対応するセグメント中に異なる多型形態が存在することに起因して、１の個体からのターゲットＤＮＡのセグメントにハイブリダイズするが、他の個体からの対応するセグメントにはハイブリダイズしないように設計することができる。ハイブリダイゼーション条件は、対立遺伝子間のハイブリダイゼーション強度に顕著な相違、好ましくは本質的に２成分の応答が存在するように十分にストリンジェントとするべきであり、それによってプローブは対立遺伝子のうちの１のみにハイブリダイズする。多型部位がプローブの中心位置（例えば、１５ｍｅｒにおいてはポジション７において；１６ｍｅｒにおいてはポジション８または９のいずれかにおいて）と並ぶようにターゲットＤＮＡのセグメントにハイブリダイズするようにプローブを設計する場合もある。プローブのこの設計により、異なる対立遺伝子形態の間のハイブリダイゼーションにおいて良好な識別が達成される。
【００７６】
これらのプローブは、それが好ましくは８ないし５０ヌクレオチドを含む点において、および、それが本発明の多型マーカーを含む配列に十分に相補的であってそれにハイブリダイズする、好ましくは１のみのヌクレオチド変異についてタ標的とした配列を識別することができるように十分に特異的である点において特徴付けられる。本発明のプローブのＣＧ含量は、通常、１０ないし７５％、好ましくは３５ないし６０％、およびより好ましくは４０ないし５５％の範囲である。これらのプローブの長さは、１０、１５、２０または３０ないし少なくとも１００ヌクレオチド、好ましくは１０ないし５０、より好ましくは１８ないし３５ヌクレオチドの範囲とし得る。特に好ましいプローブは２５ヌクレオチド長である。好ましくは、多型マーカーはポリヌクレオチドプローブの中心の４ヌクレオチド以内に存在する。特に好ましいプローブにおいては、多型マーカーは該ポリヌクレオチドの中央に存在する。プローブが短いとターゲット核酸配列に対する特異性を欠く場合があり、一般的には鋳型と十分に安定なハイブリッド複合体を形成するためにより低い温度を必要とする。プローブが長いと作製する費用が高くなり、自己ハイブリダイズしてヘアピン構造を形成する場合がある。オリゴヌクレオチドプローブの合成方法は前記しており、本発明のプローブに適用し得る。
【００７７】
好ましくは、本発明のプローブは、標識するか、または固体支持体上に固定化する。標識および固体支持体は当該技術分野においてよく知られている。検出プローブは、一般的には、例えばWO 92/20702に開示されているペプチド核酸、米国特許第5,185,444、5,034,506および5,142,047号に記載されているモルホリノアナログのごとき核酸配列または非帯電核酸アナログである。プローブは、当該プローブにさらなるｄＮＴＰが付加することができない点において“非伸長性”にしなけらばならない。それ自体においておよびそれ自体のアナログは、通常、非伸長性であって、核酸プローブはヒドロキシル基がもはや伸長に関与することができないようにプローブの３’末端を修飾することによって非伸張性にすることができる。例えば、プローブの３’末端は捕捉または検出標識で官能基化し、それによってヒドロキシル基を消費するかさもなくばブロックし得る。また、３'ヒドロキシル基を単純に切断、置換または修飾することもできる。
【００７８】
本発明のプローブは多くの目的について有用である。それはゲノムＤＮＡに対するサザンハイブリダイゼーションまたはｍＲＮＡに対するノザンハイブリダイゼーションに用いることができる。プローブを用いてＰＣＲ増幅産物を検出することもできる。対立遺伝子、特異的プローブに対するハイブリダイゼーションをアッセイすることによって、所定の試料中の二重対立遺伝子マーカー対立遺伝子の存在または不存在を検出し得る。
【００７９】
アレイ様式のハイスループット・パラレルハイブリダイゼーションは、“ハイブリダイゼーション・アッセイ”内に特に包含され、以下に記載する。
【００８０】
対立遺伝子特異的プローブは対で使用される場合があり、その対の１のメンバーは参照形態のターゲット配列に完全にマッチすることを示し、他のメンバーは変異形態に完全にマッチすることを示す。その場合、同一のターゲット配列内の複数の多型を同時に解析するために、幾つかの対のプローブを同じ支持体上に固定化することができる。
【００８１】
２．対立遺伝子特異的プライマー
対立遺伝子特異的プライマーは、多型にオーバーラップしているターゲットＤＮＡ上の部位にハイブリダイズし、プライマーが完全な相補性を示す対立遺伝子形態の増幅のみを開始する（Gibbs, Nucleic Acid Res. 17, 2427-2448 (1989)を参照されたい）。このプライマーは、遠位の部位にハイブリダイズする第２のプライマーと組合せて使用する。増幅は２のプライマーから進行し、特定の対立遺伝子形態が存在することを示す検出可能な産物となる。対照は、通常、第２の対のプライマーを用いて行い、そのうちの１は多型部位で一塩基ミスマッチを示し、そのうちのもう１は遠位の部位に対して完全な相補性を示す。一塩基ミスマッチは増幅を妨害し、検出可能な産物は形成しない。当該方法は、多型と並んだオリゴヌクレオチドの最も３’側のポジションにミスマッチが含まれる場合に最良に作動する。このポジションがプライマーからの伸長を最も不安定化するからである。例えば、WO 93/22456を参照されたい。勿論、本発明は、遠位のミスマッチを有するかかるプライマーならびに選択した条件のために不安定な塩基対形成をし、不効率的に開始するプライマーも意図する。
【００８２】
３．直接シークエンシング
本発明の多型の配列の直接解析は、ジデオキシ鎖停止法またはマキサム・ギルバート法のいずれかを用いて行うことができる（Sambrookら, Molecular Cloning, A Laboratory Manual (第2版, CSHP, New York 1989); Zyskindら, Recombinant DNA Laboratory Manual, (Acad. Press, 1988)を参照されたい）。過去数年間の間にＤＮＡシークエンシングの分野はかなり進歩したと認識すべきであり、本発明はかかる進歩を意図することは認識されるべきである。最も注目すべきは、過去十年間に、自動ＤＮＡ配列分析に対する信頼性が大きくなってきていることである。
【００８３】
４．変性グラジエントゲル電気泳動
ポリメラーゼ連鎖反応を用いて作成した増幅産物は、変性グラジエントゲル電気泳動を使用することによって分析し得る。異なる対立遺伝子は、異なる配列依存性の融解特性および溶液中のＤＮＡの電気泳動移動に基づいて同定し得る（Erlich編, PCR Technology, Principles and Applications for DNA Amplification, (W. H. Freeman and Co, New York, 1992), 第7章）。
【００８４】
５．一本鎖コンホメーション多型解析
ターゲット配列の対立遺伝子は、一本鎖コンホメーション多型解析を用いて識別することができる。それはOritaら, Proc. Nat. Acad. Sci. 86, 2766-2770 (1989)に記載されているごとく、一本鎖ＰＣＲ産物の電気泳動移動の変化によって塩基の相違を同定する。増幅ＰＣＲ産物は前記したごとく生成することができ、加熱するかさもなければ変性させて、一本鎖増幅産物を形成させる。一本鎖核酸は、部分的に塩基配列に依存する二次構造をリホールドまたは形成し得る。一本鎖増幅産物の異なる電気泳動移動は、ターゲット配列の対立遺伝子間の塩基配列の相違に関連付けることができる。
【００８５】
フィルター上の対立遺伝子特異的ハイブリダイゼーション、対立遺伝子特異的ＰＣＲ、ＰＣＲプラス制限酵素消化（ＲＦＬＰ−ＰＣＲ）、変性キャピラリー電気泳動、プライマー伸長および飛行時間型質量分析および５’ヌクレアーゼ（Taq−ManＴＭ）アッセイを含む上記した方法の他の変形も存在する。
【００８６】
Taq−Manアッセイは蓄積している増幅産物に特異的にアニールしたＤＮＡプローブを消化するＴａｑ  ＤＮＡポリメラーゼの５'ヌクレアーゼ活性の利点を採用している。Ｔａｑ−Ｍａｎプローブは、蛍光エネルギー移動を介して、相互作用する供与体−受容体色素対で標識されている。増幅の間に進行するポリメラーゼによってＴａｑ−Ｍａｎプローブが切断されると、クエンチング受容体色素から供与体色素が解離し、供与体の蛍光を大幅に上昇させる。２の対立遺伝子変異を検出するために必要なすべての試薬は、反応の開始時に集合させることができ、結果はリアルタイムでモニターすることができる(Livakら, Nature Genetics, 9 : 341-342, 1995を参照されたい)。別の均一ハイブリダイゼーションベースの手法においては、対立遺伝子識別に分子ビーコンを用いる。分子ビーコンは均一な溶液中の特異的な核酸の存在をレポートするヘアピン形状のオリゴヌクレオチドプローブである。それがそのターゲットに結合すると、それは内部的にクエンチされた発蛍光団の蛍光を回復するコンホメーション再構成を行う(Tyagiら, Nature Biotechnology,16 : 49-531 1998)。
【００８７】
ＳＮＰ遺伝子型決定に好ましい技術は、分析する各ＳＮＰについて過大な最適化を必要としない大スケールの自動分析を許容すべきである。後者の例はＤＡＳＨ（Dynamic Allele-Specific hybridization)であり、これはマイクロタイタープレート(Hybaid）および“単一−ストリンジェンシー”ＤＮＡ−チップハイブリダイゼーション（Affymetrix）における条件設定に対して敏感である、勿論、このリストがすべてを含むものでないことは理解されるべきである。
【００８８】
アレイ様式のハイスループット・パラレルハイブリダイゼーションは、本発明によって特異的に包含され、これを以下に記載する。
オリゴヌクレオチドアレイをベースとするハイブリダイゼーション・アッセイは、ターゲット配列変異に完全にマッチするおよびミスマッチする短いオリゴヌクレオチドのハイブリダイゼーション安定性における差異に依存している。多型情報に対する効率的なアクセスは、選択した位置で固体支持体（チップ）に結合したオリゴヌクレオチド・プローブの高密度アレイを含む基本構造を介して得る。各ＤＮＡチップは、格子様パターンで配置した数千ないし数百万の個々の合成ＤＮＡプローブを含み得、ダイムのサイズ（size of a dime）まで小型化し得る。
【００８９】
チップ技術は、すでに多数の場合において成功して適用されている。例えば、突然変異をスクリーニングすることはサッカロミセス・セレビシア（S. cerecisiae）突然変異株におけるＢＲＣＡＩ遺伝子でおよびＨＩＶ−Ｉウイルスのプロテアーゼ遺伝子において行われている(Haciaら, Nature Genetics, 14 (4): 441-447,1996; Shoemakerら, Nature Genetics, 14 (4): 450-456,1996 Kozalら, Nature Medicine, 2: 753-759,1996を参照されたい)。二重対立遺伝子多型を検出するのに使用するための種々の形式のチップは、Affymetrix (GeneChipTM)、Hyseq (HyChip and HyGnostics)およびProtogene Laboratoriesによって特別注文ベースで製造することができる。
【００９０】
一般的に、これらの方法は個体からのターゲット核酸配列セグメントに相補的であるオリゴヌクレオチド・プローブのアレイを用い、ターゲット配列には多型マーカーが含まれる。EP785280は、一塩基多型を検出するためのタイリング戦略（tiling strategy）を記載している。簡単には、一般的に、アレイを多数の特異的多型について“タイリング”し得る。“タイリング”とは、一般的に、関心のあるターゲット配列に対して相補的な配列から構成される規定の一連のオリゴヌクレオチドプローブ、ならびにその配列の予め選択した変異、例えば基本セットのモノマー、すなわちヌクレオチドの１またはそれを超えるメンバーを有する１またはそれを超える所定の置換の合成を意味する。タイリング戦略はさらに国際公開WO 95/11995に記載されている。詳細な態様において、多数の特異的な、同定した二重対立遺伝子マーカー配列についてタイリングする。詳細には、アレイをタイリングして多数の検出ブロックを含め、ここに各検出ブロックは特定の二重対立遺伝子マーカーまたは一連の二重対立遺伝子マーカーに対して特異的である。例えば、検出ブロックをタイリングして特定の多型を含む配列セグメントにひろがる多数のプローブを含めることができる。各対立遺伝子に対して相補的であるプローブを確実にするために、プローブは二重対立遺伝子マーカーで相違する対で合成する。多型塩基で異なるプローブに加えて、一般的には一置換プローブも検出ブロック内にタイリングする。これらの一置換プローブは、多型からいずれかの方向で決まった数のおよび決まった数にのぼる塩基を有し、残りのヌクレオチド（Ａ、Ｔ、Ｇ、ＣおよびＵから選択される）で置換されている。典型的には、タイリング検出ブロック中のプローブには、二重対立遺伝子マーカーから５塩基離れた配列ポジションまでおよびそれを含む配列ポジションの置換が含まれる。一置換プローブはタイリングされたアレイの内部対照を提供して、人為的な交差ハイブリダイゼーションから実際のハイブリダイゼーションを識別する。ターゲット配列とのハイブリダイゼーションおよびアレイの洗浄が完了したら、アレイをスキャンしてターゲット配列がハイブリダイズしたアレイ上の位置を決定する。ついで、スキャンしたアレイからのハイブリダイゼーションデータを分析して、二重対立遺伝子マーカーのどの対立遺伝子または対立遺伝子群が試料中に存在するかを同定する。ハイブリダイゼーションおよびスキャンニングは、国際公開WO 92/10092およびWO 95/11995ならびに米国特許第5,424,186号に記載されている。かくして、幾つかの具体例において、チップには、約１５ヌクレオチド長のフラグメントの核酸配列のアレイが含まれ得る。さらなる具体例において、チップには、配列番号：１の６−８００の連続ヌクレオチドを含む単離されたポリヌクレオチドおよびそれに対して相補的な配列、または少なくとも１の多型部位を含む少なくとも約８の連続的なヌクレオチド、好ましくは１０、１５、２０、より好ましくは２５、３０、４０、４７または５０の連続的なヌクレオチドよりなる群から選択される配列の少なくとも１を含むアレイが含まれ得る。
【００９１】
幾つかの具体例において、チップには、本発明の少なくも２、３、４、５、６、７、８またはそれを超えるこれらのポリヌクレオチドのアレイが含まれ得る。
蛍光対立遺伝子−特異的ＰＣＲ（ＦＡＳ−ＰＣＲ）では、検出する対立遺伝子に正確にマッチする単一の３’ヌクレオチドにおいて異なる対立遺伝子特異的プライマーを用いる。したがって、二重対立遺伝子ＳＮＰの各対立遺伝子に正確にマッチするように設計された２のプライマーを、単一、共通、リバースプライマーと共に用いて、各対立遺伝子特異的プライマーを検出する。これは、ＰＣＲ増幅プライマーの３'ヌクレオチドが正確にマッチしない場合には、増幅が首尾よくいかないということを観察し得る利点を得るために使用する。典型的には、各対立遺伝子特異的プライマーを異なる蛍光プライマーで標識して、PE Biosystemsのごとき自動ＤＮＡ分析システム、モデル310/373/377または3700を用いるゲルまたはキャピラリー電気泳動によって分析した場合にはそれらを識別する。
【００９２】
ＳＮＰは、ＤＮＡ塩基組成における相違に起因する高温変性の相違を使用する技術を用いて迅速かつ効率的に遺伝子型決定することもできる。
【００９３】
この試験の１の具体例において、対立遺伝子特異的プライマーは、１のプライマーが２６塩基の５'ＧＣテイルが付加されたこと(GermerおよびHiguichi, 1999)を除いて、二重対立遺伝子ＳＮＰを検出するように上記のごとく設計する。
単一、共通、リバースプライマーを用いたＰＣＲ増幅後に、ｄｓＤＮＡに優先的に結合する色素（例えば、SYBR Green 1)を試験管に加え、ついでＰＣＲ増幅のｄｓＤＮＡ産物の熱変性特性を決定する。ＧＣをテイルに付加したプライマーによって増幅したＳＮＰについてホモ接合である試料は、温度スケールの高温末端で変性し、一方非ＧＣタグプライマーによって増幅したＳＮについてホモ接合である試料は温度スケールの低温末端で変性するであろう。ヘテロ接合体試料は熱変性プロフィールにおいて２のピークを示すであろう。
【００９４】
前記した技術の変形においては、ダイナミック・アレル−スペシフィック・ハイブリダイゼーション（ＤＡＳＨ）を熱変性曲線によって検出する(Howellら, 1999)。この試験の１の具体例においては、一対のプライマーを用いてＳＮＰを含むＤＮＡ試料中のゲノム領域を増幅させる。これらのプライマーのうちの１をビオチン標識して、つづくビオチン標識された生成物鎖がストレプトアビジン被覆プレートに結合することを許容する一法、ビオチン非標識生成物鎖はアルカリで洗い流す。１の対立遺伝子に正確にマッチするオリゴヌクレオチドプローブは、低温で固定化したＰＣＲ産物にハイブリダイズする。これは、ｄｓＤＮＡインターカレーション色素（例えば、SYBR Green 1)と相互作用するｄｓＤＮＡを形成する。ついで、熱変性特性によって、融解温度が異なることに起因する二重対立遺伝子ＳＮＰ間の一塩基ミスマッチを識別する試験をすることができる。ＳＮＰ遺伝子型決定する他の方法およびそのＣｏｎ−２０２遺伝子中のＳＮＰの検出への適用は、当業者に認識される。
【００９５】
実施例２
精神分裂症集団の遺伝子型決定
目的
本発明者らのオーファンＧタンパク質共役型受容体Ｃｏｎ−２０２の遺伝子の中またはそのまわりに見出されたＳＮＰｓについてのＮＩＭＨ精神分裂症試料からのＤＮＡを遺伝子型決定して、Ｃｏｎ−２０２が精神分裂症の危険度を上昇させることと関連しているかを調べること。
【００９６】
材料および方法
ＤＮＡ試料
ＤＮＡ試料はNational Institute of Mental Health Schizophrenia Genetics Initiativeから得た。各ＤＮＡ試料のうちの２５ｎｇを９６ウェルプレート入れ（Schz01、Schz02、Schz03、Schz04）に入れ、乾燥させ、ついで−２０℃にて保存した。Schz01、Schz02、Schz03と標識したプレートには、最初の３列を対照のために使用するブランクとして残しつつ７２の試料を含ませた。Schz04と標識したプレートには、ウェルＡ４からＡ１２に９の試料を含ませた。
【００９７】
ＴａｑＭａｎＲＭＧＢプローブを用いた対立遺伝子識別
各ＳＮＰに対するプライマーおよびＴａｑｍａｎＲプローブ(Applied Biosystems)は、ソフトウェアPrimer Express version 1.5 (Applied Biosystems)を用いて設計した。表３は各ＳＮＰに対するすべてのプライマーおよびプローブを掲載している。プライマーを水に最終濃度１００μＭで再懸濁した。ＰＣＲ反応は以下のものからなる１０μｌで行った：５μｌの２×ＴａｑＭａｎＲUniversal PCR Master Mix、２００ｎＭの各プローブ、９００ｎＭのフォワードおよびリバースプライマーおよびブランクの水。その１０μｌをドライダウンしたＤＮＡ試料に添加した。各プレートについて以下の対照を行った。８の鋳型を含まない対照、８の対立遺伝子１の対照、および８の対立遺伝子２の対照。対立遺伝子１および２の対照は、実施例１に記載したＣｏｎ０１からの２５ｎｇのＤＮＡを含ませた。プレートをTiter Plate Shakerに載せて５分間激しく振盪させ、ついで１０００ｒｐｍで簡単に遠心した。サーマルサイクリングは以下の熱サイクリング条件を用いて9600サイクラー(Applied  Biosystems)で行った：５０℃にて２分→９５℃にて１０分→９２℃にて１５秒、６０℃にて１分を３５サイクル。蛍光シグナルは、終点のプレート判読のために製造業者の指示書に従ってABI PRISM 7700 Sequence Detector(Applied Biosystems)を用いて検出した。データはＳＤＳソフトウェア、バージョン１.７(Applied Biosystems)を用いて解析した。
【００９８】
結果
精神分裂症試料に対する対立遺伝子識別を行うために、本発明者らはＴａｑＭａｎＲアッセイ法を用いている。この方法には、２のプローブ、そのうちの１はより（more）一般的な対立遺伝子（対立遺伝子１）を含み、およびもう１のプローブはあまり（least）一般的でない共通対立遺伝子（対立遺伝子２）を含む、を設計すること。２のプローブは、２の対立遺伝子を識別するための異なる蛍光レポーター色素（ＦＡＭおよびＶＩＣ）ならびに非蛍光クエンチャー色素が含まれる。
フォワードおよびリバースプライマーは、プローブを挟んで７５ないし１５０ｂｐのＰＣＲ産物が得られるように設計する。２のプローブおよびプライマーを、ＰＣＲアッセイのＤＮＡに添加する。ＤＮＡ試料が対立遺伝子１に対してホモ接合である場合には対立遺伝子１のプローブはＰＣＲ産物にハイブリダイズし、レポーター色素はＴａｑＤＮＡポリメラーゼの５'ヌクレアーゼ活性によって切断され、そのレポーター色素の蛍光を増大させるであろう。ＤＮＡ試料が対立遺伝子２についてホモ接合である場合には、対立遺伝子２プローブに結合したレポーター色素の蛍光を増大させるであろう。試料が対立遺伝子１および２についてホモ接合である場合には、両方のレポーター色素において蛍光の増大があるであろう。ＰＣＲ反応の後に、蛍光をABIPRISM 7700  Sequencce Detectorueで蛍光を判読する。
【００９９】
対立遺伝子の識別に用いるプライマーおよびＴａｑＭａｎＲＭＧＢプローブを表３に示す。該表は、プローブが対立遺伝子１ＳＮＰまたは対立遺伝子２ＳＮＰのいずれを含むかを示している。ＳＮＰ＃１、２および７については、センス鎖についてプローブを設計し、ＳＮＰ＃３および４については、アンチセンス（相補的）鎖についてプローブを設計する。表３には、ＳＮＰヌクレオチドを太字で下線を引いて掲載している。Ａｌ１（対立遺伝子１）はより一般的な対立遺伝子についてＳＮＰを含むプローブを示し、Ａｌ２（対立遺伝子２）は希有な対立遺伝子についてＳＮＰを含むプローブを示す。Ｆはフォワードプライマーであって、Ｒはリバースプライマーである。
【０１００】
【表３】
2004528847.tif 000006
【０１０１】
研究は、各プレート上に８の鋳型を含まない対照、８の公知の対立遺伝子１対照および８の公知の対立遺伝子２対照を有するように設計し、これはＳＤＳソフトウェアを用いて知られていない試料の結果を自動呼出しする。対照ＤＮＡは、ＳＮＰ＃３および４の対立遺伝子２を除いてＳＮＰ発見（実施例１）の間に用いた試料由来のものである。これら２のＳＮＰについては対立遺伝子２は発見の間に見出されなかったが、本発明者らが単離されたゲノムクローンはこれらのＳＮＰの両方の対立遺伝子２バージョンを有していた。２２５のＮＩＭＨ精神分裂症試料からの２５μｇのＤＮＡを９６ウェルマイクロタイタープレートの残りのウェルに小分けし、ついでドライダウンした。
【０１０２】
本発明者らが得たＮＩＭＨ試料中の個体の人口統計は、よく分かっている。本発明者らは、研究のために選択した６２の核家族からの２２５の個体から遺伝子型データを収集した（しかしながら、実施例３で詳記する統計分析については２４８が利用可能であった）。分からない母性民族を有する５３の個体が存在し、ほぼ６８の個体は母がアフリカ系アメリカ人であり、５１は西欧人であり、３９はアングロサクソンであり、１４は地中海人種であり、および２３は他の民族背景を有していた（全体的に数は加算的でない）。合計１１１の個体が精神分裂症に罹っているとして診断され、５０の個体は精神障害に全く罹っておらず、１５の個体は不明の疾病状態に罹っており、７２の個体は異なる型の精神障害に罹っていた。
【０１０３】
ＴａｑＭａｎＲアッセイを２２５のＮＩＭＨ精神分裂症試料上に対して５のＳＮＰｓに対して行い、各個体について遺伝子型データを収集した。各個体は各対立遺伝子についてホモ接合またはヘテロ接合のいずれかであった。
【０１０４】
表４は、ＳＮＰ発見フェーズで使用したＮＩＭＨ試料およびＣＯＮ０１試料の両方からの希有な対立遺伝子の頻度の要約を示している。２の間のいずれの相違も試料サイズにおける差異によるものとし得る（ＣＯＮ０１からの７２-対-ＮＩＭＨからの２２５）。（下記のパーセンテージはＮＩＭＨ試料についての２２５の合計試料サイズに基づくものであって、これらすべての個体が精神分裂症と診断されたわけではないことに注意すべきである。したがって、得られた結果を下記の実施例３に記載するごとく有意性についてさらに分析した（および、疾病状態をこの分析に考慮した））。
【０１０５】
【表４】
2004528847.tif 000007
【０１０６】
遺伝的診断法における本発明の多型
本発明の多型を用いて、精神分裂症を発症する危険度の高い個体または精神分裂症に罹っている個体を同定することができる診断試験を開発することもできる。本発明の診断技術は、種々の方法を用いて試験対象が精神分裂症を発症する高い危険度と関連している多型マーカーパターンを有しているか、あるいは、個体が特定の突然変異を運搬することと一致して精神分裂症に罹っているかを判定することができ、かかる方法には家族研究、単一精子ＤＮＡ分析または体細胞ハイブリッドのごときハプロタイプを決定するための個体の染色体の分析が可能な方法が含まれる。
【０１０７】
個体のハプロタイプの決定
下記の実施例３から明らかなごとく、個体における同一染色体セグメント（ハプロタイプ）上の特定の多型部位を占めているヌクレオチドの同一性を決定することは特に有利である。したがって、さらに、本発明は、
患者から配列番号：１のポジション１８４、１０２２、１２９２、１４００および２７２４の多型部位を含む核酸を含む材料を得；
配列番号：１のポジション１８４、１０２２、１２９２、１４００および２７２４の多型部位のいずれかを挟むヌクレオチド配列に相補的な一対のヌクレオチドプライマーを用いて該核酸を酵素的に増幅させて、多型部位または他のＣｏｎ−２０２多型部位のいずれかを含有する増幅した生成物を生成し、ついでＣｏｎ−２０２ハプロタイプを決定する
ことによって患者におけるＣｏｎ−２０２ハプロタイプの存在または不存在を決定することによって精神分裂症を診断するまたは精神分裂症に対する素因を判定する方法を提供する。
【０１０８】
当業者であれば、ハプロタイプを決定するために、増幅した生成物を直接配列決定するか、または配列分析の前にベクターにサブクローニングし得ることは理解する。Amersham Life Science (Arlington Heights, Ill.)から販売されているSequenaseTMキットを含む 市販されている配列決定キットを用いて、本発明の方法の増幅した生成物を配列決定し得る。自動配列分析も有用であり、例えばApplied Biosystems (Foster City, Calif.;出典明示して本明細書の一部とみなすFrazierら, Electrophoresis 17: 1550-1552 (1996)も参照されたい）から市販されているPrism 377 DNA Sequencerまたは373 DNA Sequencerのごとき自動配列決定機器も有用となり得る。したがって、個体のハプロタイプ組成の配列を生じる二倍体ゲノム中の両方のコピーを、直接配列分析から推察することができる。
【０１０９】
もう１の可能性は、例えば非対称ＰＣＲ増幅(Newtonら, Nucleic Acids Res., 17: 2503-2516,1989; Wuら, Proc. Natl Acad Sci. USA, 86: 2757, 1989を参照されたい)によって、または限界希釈での単一の染色体の単離につづくＰＣＲ増幅によって(Ruanoら, Proc. Natl Acad. Sci. USA, 87: 6296-6300, 1990を参照されたい)、個別に単一の染色体を研究し得ることである。さらに、試料は特定の対立遺伝子の二重ＰＣＲ増幅によって多型マーカーに十分に近接してハプロタイプ決定し得る(Sarkar, G.およびSommer S. S., Biotechniques, 1991)。
【０１１０】
本発明は、本発明の突然変異または多型と一致して個体が精神分裂症を発症する危険度が高いかまたは精神分裂症に罹っているかを判定するための診断方法を提供する。また、本発明は個体が精神分裂症障害に対して有効な剤に積極的に応答しそうか、または個体が精神分裂症に対して有効な剤に対する悪い副作用を発症する危険度があるかを判定する方法も提供する。
【０１１１】
これらの方法には、個体から核酸試料を得、該核酸試料が、形質を発症する危険度の指標または形質を発生する対立遺伝子を所有している結果として個体が形質を発現していることの指標である、少なくとも１の対立遺伝子または少なくとも１の多型ハプロタイプを含むかを判定することが含まれる。
【０１１２】
好ましくは、かかる診断方法においては、核酸試料を個体から得、その試料を前記した方法を用いて遺伝子型決定する。診断は、単一の多型または多型の群に基づき得る。これらの各方法においては、核酸試料を試験対象から得、１またはそれを超える表１および２に掲載した多型マーカーの多型パターンを決定する。
【０１１３】
１の具体例において、ＰＣＲ増幅を核酸試料に対して行って、検出可能な表現型と関連した多型が同定されている領域を増幅する。増幅産物を配列決定して、個体が検出可能な表現型と関連している１またはそれを超える多型を所有しているかを判定する。増幅生成物を創製するために用いるプライマーには、表３に掲載するプライマーが含まれ得る。また、核酸試料を前記したマイクロシークエンシング反応に付して、候補遺伝子中の突然変異または多型から生じた検出可能な表現型と関連する１またはそれを超える多型を個体が所有しているかを判定する。マイクロシークエンシング反応で用いたプライマーには、表３に掲載するプライマーが含まれ得る。もう１の具体例において、核酸試料を、検出可能な表現型と関連する１またはそれを超える候補遺伝子対立遺伝子に特異的にハイブリダイズする１またはそれを超える対立遺伝子特異的オリゴヌクレオチドプローブと接触させる。ハイブリダイゼーションアッセイに使用するプローブには、表３に掲載したプローブを含めることができる。
【０１１４】
好ましい具体例において、配列番号：１のポジション１８４、１０２２、１２９２、１４００および２７２４の多型部位よりなる群から選択される少なくとも１の二重対立遺伝子マーカーに存在するヌクレオチドの同一性を決定し、検出可能な形質は精神分裂症である。
【０１１５】
これらの診断方法は、それらが特定の環境において、それらを用いて予防的治療を開始することができ、あるいは重要なハプロタイプを運搬している個体について微細な症状のごとき警告する徴候を予見することができるので、極めて価値がある。喘息のごとき、攻撃が極めて暴力的であって即時に治療しない場合には死に至る場合もある疾病においては、潜在的な素因の知識は、たとえこの素因が絶対的でないとしても、治療の効力に対して非常に重要な様式で寄与し得る。同様にして、潜在的な副作用に対する診断された素因は臨床試験の間にかかる副作用が観察されなかった治療に向けて医師を直ちに方向付け得るであろう。
【０１１６】
薬剤に対する応答または薬剤に対する副作用を分析および予想する診断を用いて、個体を特定の薬剤で治療すべきかを判定し得る。例えば、診断が特定の薬剤を用いた治療に対して積極的に応答するようである見込みを示す場合には、該薬剤を個体に投与し得る。反対に、診断が特定の薬剤を用いた治療に対して消極的に応答するようであることを示す場合には、別の方向の治療を指示し得る。消極的な応答とは、効果的な応答が存在しない場合または毒性の副作用が存在する場合のいずれかと規定し得る。
【０１１７】
臨床薬剤試験により、本発明のマーカーのもう１の適用が表される。精神分裂症に作用する剤に対するまたは精神分裂症に作用する剤の副作用に対する応答の指標である１またはそれを超えるマーカーは、前記した方法を用いて同定し得る。その後、かかる剤の臨床試験における潜在的な協同物をスクリーニングして、薬剤に対して最も好ましく応答しそうな個々のものを同定し、副作用を引き起こしそうなものを排除し得る。そのようにして、研究において積極的に応答しそうにない個体を含めた結果として測定を低下させることなく、かつ、望ましくない安全性の問題を危険に曝すことなく、薬剤治療の有効性を薬剤に積極的に応答した個体において測定し得る。本発明のポリヌクレオチドを含む診断キットを、さらに以下に記載する。
【０１１８】
診断キット
本発明は、さらに、前記した少なくとも１の対立遺伝子特異的なオリゴヌクレオチドを含むキットを提供する。キットは、異なる形態の多型に対してハイブリダイズする１またはそれを超える対の対立遺伝子特異的オリゴヌクレオチドを含む場合もある。キット中では、対立遺伝子特異的オリゴヌクレオチドは基体に固定化して提供される場合もある。例えば、同じ基体に前記した両方の多型を検出するための対立遺伝子特異的オリゴヌクレオチド・プローブを含めることができる。キットの任意のさらなる成分には、例えば、制限酵素、逆転写酵素またはポリメラーゼ、基質であるヌクレオシド三リン酸、標識するために用いる手段（例えば、アビジン酵素コンジュゲートと酵素基質、および標識がビオチンである場合にはクロモーゲン）、および逆転写、ＰＣＲまたはハイブリダイゼーション反応用の適当な緩衝液が含まれる。通常、該キットには、当該方法を行うための指示書も含まれる。
【０１１９】
本発明を用いて、個体が精神分裂症と関連しているＣｏｎ−２０２多型を有するか否かを判定する。かかるＣｏｎ−２０２多型は、一般集団における該多型の頻度および精神分裂症に罹った個体における多型の頻度を比較する集団研究における一般的危険因子として示される。例えば、該多型は一般集団中で３％の頻度で発生するが、精神分裂症に罹った個体においては３０％の頻度で発生している場合には、該多型の試験により精神分裂症を発症するより高い危険度を個体が有することが明らかになるであろう。この情報を用いて、将来の時点で精神分裂症を発症する危険度が高い個体を予測的に同定し、または臨床的診断において精神分裂症に罹っていることが示されており、したがっておそらくは精神分裂症または精神分裂症性双極性障害、精神分裂感情障害鬱病、分裂病型人格障害、非感情的精神障害（分裂病様障害、妄想性障害、精神障害ＮＯＳ）または気分不一致鬱病障害（mood-psychotic depressive disorder）または妄想性分裂病もしくは分裂病様人格障害のごとき他の関連する疾患であると診断された臨床検査上で精神分裂症に罹っている個体を診断的に同定することができる。
【０１２０】
予想または診断目的の該Ｃｏｎ−２０２多型の分析は、ＳＮＰを正確に検出し得るいずれの技術のうちの１によって行うことができ、それには限定されるものではないが、フィルター上の対立遺伝子特異的ハイブリダイゼーション、ＰＣＲプラス制限酵素消化（ＲＦＬＰ−ＰＣＲ）、変性キャピラリー電気泳動、プライマー伸長および時間飛行型質量分析、および５'ヌクレアーゼ（Ｔａｑ−Ｍａｎ）アッセイが含まれる。
【０１２１】
ＳＮＰ遺伝子型を決定する好ましい技術は、大スケールの、分析する各ＳＮＰについて詳細にわたる最適化が必要でない自動分析を許容する。後者の例はＤＡＳＨ（Dynamic Allele-Specific hybridization) であり、これはマイクロタイタープレート（Hyband）および“単一ストリンジェンシー”ＤＮＡ−チップハイブリダイゼーション（Affymetrix）に従う。
【０１２２】
本発明の多型マーカーを用いる遺伝解析の方法
多型の同一性が確立されたら、特定の形態の多型と表現型の存在または不存在とを関連させることを試みることが望ましくなる。本発明者らは本発明の特定の多型と精神分裂症表現型との関連を確立したが、本発明は他の疾病状態を分析するための分析用のマーカーとしての、精神分裂症または他の疾病の薬物治療に対する感受性を分析するためのマーカーとしての本発明の多型部位の使用も意図し、あるいはヒトゲノムのいずれかの完全または部分的地図に含まれ得ることは明らかである。
【０１２３】
本発明の多型マーカーは、当該技術分野において知られているいずれかの方法における使用を見出して、遺伝子型と表現型との統計学的に有意な関連性を示している。異なる方法も複雑な形質の遺伝解析に利用可能である(LanderおよびSchork, Science, 265,2037-2048, 1994を参照されたい)。多型が表現型形質と関連しているかを決定するために、３の主な方法を使用する：事実を、家族研究を用いて遺伝子座と推定形質遺伝子座との間の同時分離とみなす連鎖アプローチ（パラメータまたは非パラメータ）、ならびに事象を、対立遺伝子と形質または形質を引起す対立遺伝子との間、形質または対立遺伝子を引起す形質との間の統計学的に有意な関連とみなす関連アプローチならびに連鎖および関連性の両方について試験するＴＤＴアプローチ。
【０１２４】
多型マーカーは、パラメトリックおよび非-パラメトリック連鎖解析法において使用し得る。好ましくは、本発明の多型マーカーを用いて、患者対照法のごとき関連研究を用いて、精神分裂症または他の障害と関連する遺伝子を同定することができ、このアプローチは、罹った家族を使用することを必要とせず、複雑および散発性の形質と関連する遺伝子を同定することができる。
【０１２５】
本発明の多型マーカーを用いる遺伝解析はいずれのスケールでも行い得る。本発明の全セットの多型マーカーまたは本発明のいずれかサブセットの多型マーカーを用い得る。さらに、本発明の多型マーカーを含むいずれのセットの遺伝子マーカーも使用し得る。本発明の多型マーカーと組合せて遺伝子マーカーとして使用し得る一連の多型マーカーはWO 98/20165に記載されている。前記したごとく、本発明の多型マーカーがヒトゲノムの完全または部分的遺伝子地図に含まれ得ることは注記しておく。
これらの異なる使用は、本発明および特許請求の範囲において特に詳細に意図する。
【０１２６】
Ａ．連鎖解析
連鎖解析は、遺伝マーカーの伝達と家族内の世代を通しての特異的な形質との間の関連を確立することに基づいている。したがって、連鎖解析の目的は、家系内で関心のある形質と同時分離することを示すマーカー遺伝子座を検出することである。
【０１２７】
パラメトリック方法
連続する世代からデータを入手することができる場合には、一対の遺伝子座間の連鎖の程度を研究する機会が存在する。組換え画分の推定により、遺伝子座を順序づけることができ、遺伝子地図上に位置決定し得る。遺伝マーカーである遺伝子座を用いれば、遺伝地図を確立することができ、ついでマーカーと形質との間の連鎖の強さを計算してマーカーおよびこれらの形質に影響する遺伝子の相対的ポジションを示すことができる。連鎖解析の古典的な方法は、対数得点法（lgarithm of odds (lod) method）（Morton N.E., Am.J.Hum.Genet., 7: 277-318, 1955; Ott J., Analysis of Human Genetic Linkage, John Hopkins University Press, Baltimore, 1991）である。ｌｏｄスコアの計算には、疾病の遺伝の様式の詳細が必要である（パラメトリック法）。一般的に、連鎖解析を用いて同定される候補領域の長さは２ないし２０Ｍｂである。前記のごとく候補領域を同定したら、さらなるマーカーを用いた組換え個体の解析により、候補領域を詳細に描写することができる。連鎖解析研究は、一般的に、最大で５０００のマイクロサテライトマーカーの使用に依存しており、したがって、連鎖解析の理論的に達成可能な最大の解像度を平均で６００ｋｂに制限している。
【０１２８】
連鎖解析を首尾よく適用して、高浸透度（すなわち、対立遺伝子の形質ポジティブ担体の数と集団中の担体の総数との間の比）を有し、明らかにメンデル型遺伝パターンを示す単純な遺伝形質がマッピングされている。しかしながら、パラメトリック連鎖解析は種々の欠点に苦しんでいる。最初に、それは各研究した形質に好適な遺伝的モデルの選択に対するその信頼性によって制限される。さらに、すでに言及したように、連鎖解析を用いて達成可能な解像度が制限され、および相補性研究は、最初に連鎖解析を介して同定された典型的に２Ｍｂないし２０Ｍｂ領域の解析を正確にする必要がある。さらに、パラメトリック連鎖解析アプローチは、多数の遺伝子および／または環境因子の結合した作用に起因するもののごとき、複雑な遺伝的形質にあてはめた場合には困難であることが立証されている。
ロッドスコア解析においてこれらの因子を十分にモデル化することは非常に困難である。かかるケースにおいては、最近Risch, N. およびMerikangas, K. (Science, 273: 1516-1517, 1996)によって論じられているごとく、これらの状況に連鎖解析をあてはめるのに必要な十分な数の感染した家族を募集するために多大な労力および多大な費用が必要となる。
【０１２９】
非パラメトリック方法
連鎖解析についてのいわゆる非パラメトリック方法の利点は、それが疾病についての遺伝の様式の詳細を必要とせず、それが複雑な形質の解析により有用である傾向があるからである。非パラメトリック方法においては、罹った近縁者が偶然に予想されるよりもより頻繁に該領域の同一コピーを遺伝することを示すことによって、染色体領域の遺伝パターンがランダムなメンデル分離と一致しないことを立証することを試みる。罹った近縁者は、不完全な浸透度およびポリジーン遺伝が存在しても過剰な“対立遺伝子共有”を示すにちがいない。非パラメトリック連鎖解析においては、２の個体におけるマーカー遺伝子座における一致度を、ＩＢＳの対立遺伝子の数またはＩＢＤの対立遺伝子の数のいずれかによって測定し得る。罹患同胞対解析はよく知られている特別のケースであり、これらの方法のうちで最も単純な形成である。
【０１３０】
本発明の多型マーカーは、パラメトリックおよび非パラメトリック連鎖解析の両方で使用することができる。好ましくは、多型マーカーは、複雑な形質に関与する遺伝子をマッピングできる非パラメトリック方法において使用し得る。本発明の多型マーカーは、ＩＢＤ−およびＩＢＳ−法の両方に使用して、複雑な形質に影響する遺伝子をマッピングすることができる。かかる研究においては、高密度の多型マーカーの利点をとって、幾つかの近接する多型マーカー遺伝子座を保存して、多対立遺伝子マーカーによって到達する効率を達成し得る（Zhaoら, Am. J Hum.Genet., 63 : 225-240,1998)。
【０１３１】
しかしながら、パラメトリックおよび非パラメトリック連鎖解析の両方法による解析には、罹った近縁者に近づくことを必要とし、それらは薬物応答の遺伝的解析または治療に対する副作用の解析において制限された値のものとなる傾向がある。このタイプの分析は、家族性患者の利用可能性に起因してかかる患者においては実践的でない。実際、同時に同一の薬剤に暴露された一家族に１を超える個人を有する見込みは極めて低い。
【０１３２】
Ｂ．集団関連研究
本発明は、本発明の多型マーカーを用いた検出可能な形質と関連している多型マーカーを用いて検出可能な形質と関連する多型マーカーを同定する方法を含む。１の具体例において、本発明は、多型マーカー対立遺伝子または多型マーカーハプロタイプと形質との間の関連を検出する方法を含む。さらに、本発明は、本発明のいずれの多型マーカー対立遺伝子とも連鎖不均衡の形質を引起す対立遺伝子を同定する方法を含む。
【０１３３】
前記したごとく、関連研究は一般集団の中で行うことができ、罹った家族における関連した個体に対して行なう研究に限定されるものではない。関連研究は、散発性または多因子の形質を解析することができるので、極めて価値がある。さらに、関連研究は、連鎖研究よりも形質を引起す対立遺伝子をより精巧にマッピングすることができる。家系図に基づく研究は、形質を引起す対立遺伝子のロケーションを狭くするのみの場合がある。したがって、本発明の多型マーカーを用いる関連研究は、連鎖解析法によって同定された候補領域中に形質を引起す対立遺伝子のロケーションを精密にするのに使用することもできる。本発明の多型マーカーを用いて、特定の遺伝子が形質と関連していることを立証することができる。かかる使用は、本発明および特許請求の範囲において特に予定している。
【０１３４】
多型マーカーを用いる関連研究を行なう一般的戦略は、両方の群における本発明の多型マーカーの対立遺伝子頻度を測定し、および統計学的に比較するために、２群の個体（患者−対照集団）を調べることである。
【０１３５】
形質との統計学的に有意な関連が少なくとも１またはそれを超える解析した多型マーカーについて同定された場合には：関連する対立遺伝子が形質を引起すことに直接的に寄与しているか（関連する対立遺伝子が形質を引起す対立遺伝子）、またはよりありそうなのは関連する対立遺伝子が形質を引起す対立遺伝子と連鎖不均衡であるかのいずれかであると仮定することができる。候補遺伝子機能に関して関連する対立遺伝子の特異的な特徴は通常さらなる洞察を、関連する対立遺伝子と形質との間の関係に与える（原因となっているか、または連鎖不均衡）。候補遺伝子内の関連する対立遺伝子が形質を引起す対立遺伝子ではなく真の形質を引起す対立遺伝子と連鎖不均衡である確率が高いことを事実が示している場合には、その形質を引起す対立遺伝子は、関連するマーカー付近を配列決定することによって見出し得る。
【０１３６】
関連研究は、通常、２の連続する工程で行なう。第１のフェーズにおいては、幾つかの多型マーカーの頻度を形質陽性および形質陰性の集団中で決定する。解析の第２のフェーズにおいては、候補遺伝子と所定の形質に寄与する遺伝子座のポジションの同一性を、関連する領域からの高密度のマーカーを用いてさらに精密にする。
【０１３７】
ハプロタイプ解析
突然変異または移動の結果として集団中に疾病対立遺伝子を運搬している染色体が最初に見出された場合、突然変異対立遺伝子は１連の連鎖したマーカーを有する染色体上に必ず存在する：先祖ハプロタイプ。このハプロタイプは、集団を通して追跡することができ、所定の形質とのその統計学的関連を解析し得る。ハプロタイプ研究とも呼ばれている一点（対立遺伝子）関連研究を多点関連関連で補完することは、関連研究の統計力（statistical power）を増大させる。したがって、ハプロタイプ関連研究により、先祖の運搬ハプロタイプの頻度および型を明確にすることができる。ハプロタイプ解析は、それが個体マーカーを含む解析の統計力を増大させる点において重要である。
【０１３８】
ハプロタイプ頻度解析の第１のステージにおいては、本発明の同定した多型マーカーの種々の組合せに基づく可能なハプロタイプの頻度を決定する。ついで、ハプロタイプの頻度を、形質陽性および対照の個体の異なる集団について比較する。統計学的に有意な結果を得るためにこの解析に付すべき形質陽性の個体の数は、通常３０ないし３００であるが、好ましい個体の数は５０ないし１５０である。同じ考慮事項は研究に使用する非罹患個体（またはランダム対照）の数にも当てはまる。この第１の解析の結果は、患者−対照集団におけるハプロタイプ頻度を提供し、各評価したハプロタイプ頻度についてｐ−値およびオッズ比を計算する。統計学的に有意な関連が見出された場合には、解析下で形質に冒されている所定のハプロタイプを運搬している個体について相対危険度を概算することができる。
【０１３９】
相互作用解析
本発明の多型マーカーを用いて、ポリジーン相互作用から生じる検出可能な形質と関連する多型マーカーのパターンを同定することもできる。連鎖していない遺伝子座における対立遺伝子間の遺伝的相互作用の解析には、本明細書中に記載する技術を用いた個々の遺伝子型決定が必要である。適当なレベルの統計学的有意性を有する選択された一連の多型マーカーの中での対立遺伝子相互作用の解析は、ハプロタイプ解析と考え得る。相互作用解析は第１の遺伝子座についての所定のハプロタイプに関する患者−対照集団を等級付けすること、および各亜集団を用いて第２の遺伝子座とのハプロタイプ解析を行うことからなる。
関連研究において使用した統計方法を以下にさらに記載する。
【０１４０】
１）集団中の多型マーカー対立遺伝子または多型マーカーハプロタイプの頻度の決定
集団中の対立遺伝子の頻度の決定
集団中の多型マーカーの対立遺伝子頻度は、前記した方法のうちの１またはこの意図する目的に好適ないずれの遺伝子型決定方法を用いて決定し得る。保存した試料または個々の試料の遺伝子型決定により、集団における多型マーカー対立遺伝子の頻度を決定し得る。必要な遺伝子型決定の数を減少する１の方法は、保存した試料を使用することである。保存した資料を使用することにおける主たる障害は、保存物を設定することにおける正確なＤＮＡ濃度を決定することの正確さおよび再現性に関するものである。個々の試料を遺伝子型決定することにより、高い感度、再現性および精度が提供され；本発明において使用する好ましい方法である。好ましくは、各個体を別々に遺伝子型決定し、単純遺伝子カウンティングを適用して多型マーカーの対立遺伝子の頻度または所定の集団中の遺伝子型の頻度を決定する。
【０１４１】
集団中のハプロタイプの頻度の決定
二倍体個体が１を超える遺伝子座でヘテロ接合である場合には、ハプロタイプの配偶子相はわからない。家族の系統的情報を用いれば、配偶子相を推理することができる場合がある（Perlinら, Am. J Hum. Genet., 55: 777-787, 1994)。
系統的情報が全く利用できない場合には、異なる戦略を使用することができる。１の可能性は、多重部位ヘテロ接合二倍体を分析から削除し、ホモ接合体および単一部位ヘテロ接合体のみを維持し得ることであるが、このアプローチは試料組成における可能性のあるバイアスおよび低頻度ハプロタイプの過小評価に通じる可能性がある。先に注記したごとく、もう１の可能性は、例えば、非対称ＰＣＲ増幅（Newtonら, Nucleic Acids Res., 17: 2503-2516, 1989; Wuら, Proc. Natl Acad Sci. USA, 86: 2757,1989を参照されたい) または限界希釈につづくＰＣＲ増幅（Ruanoら, Proc. Natl Acad. Sci. USA, 87: 6296-6300, 1990を参照されたい)によって単一の染色体を単離することによって、単一の染色体を独立して研究し得ることである。さらに、試料は特定の対立遺伝子の二重ＰＣＲ増幅によって多型マーカーに十分に近接して試料をハプロタイプ決定し得る（Sarkar, G.およびSommerS. S., Biotechniques, 1991)。これらのアプローチは、その技術的複雑性、さらなるコストを伴い、大スケールにおいて一般化できないこと、またはそれらが導入する可能性のあるバイアスのためにいずれも全体として満足のいくものではない。これらの困難を克服するために、Clark A. G. (Mol Biol Evol, 7: 111-122,1990)によって導入されたＰＣＲ−増幅したＤＮＡ遺伝子型の相を推論するためのアルゴリズムを用いることができる。簡単には、原理は、明瞭でない個体、すなわち、完全なホモ接合体および単一部位ヘテロ接合体、を調べることによって試料中に存在するハプロタイプの予備的リストのファイリングを開始することである。ついで、同一試料中の他の個体を先に認識されたハプロタイプの可能性のある発生についてスクリーニングする。各陽性同定に関しては、相補的ハプロタイプを認識されたハプロタイプのリストに加える。各陽性同定については、すべての個体に関する相情報が決定されるかまたは未決定と同定されるまで、相補的ハプロタイプを認識されたハプロタイプのリストに加える。この方法は単一ハプロタイプを各多重ヘテロ接合個体に割当てるが、１を超えるヘテロ接合体部位が存在する場合には幾つかのハプロタイプが可能である。また、ハプロタイプを各個体に割当てずに集団におけるハプロタイプ頻度を測定する方法を用いることもできる。好ましくは、ハーディー−ウェインバーグ（Hardy−Weinberg）比率（任意結婚）の予想下のハプロタイプ頻度の最尤推定に通じるＥＭアルゴリズム（Dempsterら, J R. Stat. Soc., 39B: 1-38, 1977）に基づく方法アルゴリズムに基づく方法を用いる（Excoffier L.およびSlatkin M., Mol Biol Evol, 12 (5): 921927, 1995を参照されたい)。ＥＭアルゴリズムは、データが不明瞭および／または不完全な場合に有用であることを推定するための一般化された最尤推定法である。ハプロタイプ推定は、“統計学的方法”なる標題でさらに下記する。集団中のハプロタイプの頻度を決定または推定するために当該技術分野で知られているほかのいずれの方法も使用し得る。
【０１４２】
２．連鎖不均衡解析
連鎖不均衡は、２またはそれを超える遺伝子座の対立遺伝子の非ランダム関連であり、疾病形質に関与する遺伝子をマッピングするための強力なツールを表す（Ajioka R. S.ら, Am. J Hum. Genet., 60: 1439-1447, 1997を参照されたい)。多型マーカーは、それらがヒトのゲノムにおいては密集して離れており、他の型の遺伝マーカー（ＲＦＬＰまたはＶＮＴＲマーカーのごとき）よりもより多数で遺伝子型決定し得るために、連鎖不均衡に基づく遺伝解析に特に有用である。本発明の多型マーカーは、当該技術分野において知られているいずれの連鎖不均衡解析方法でも使用し得る。
【０１４３】
簡単には、（新しい突然変異または突然変異担体の移動によって）疾病突然変異が集団に最初に導入された場合、それは必然的に単一の染色体上に存在し、したがって連鎖したマーカーの単一の“バックグラウンド”または“先祖”ハプロタイプ上に存在する。その結果、これらのマーカーと疾病突然変異との間には完全な不均衡が存在し：特定の一連のマーカー対立遺伝子の存在下でのみ疾病突然変異が見出される。その後の世代を通して、疾病突然変異とこれらのマーカー多型との間に組換えが起こり、不均衡は徐々に消失する。この消失のペースは、組換え頻度の関数であり、したがって疾病遺伝子に近接するマーカーはさらに離れたものよりも高レベルの不均衡を表すであろう。組換えによって離されない場合、“先祖”ハプロタイプおよび異なる遺伝子座のマーカー対立遺伝子の間の連鎖不均衡は、系統を通してのみならず、集団を通しても追跡し得る。連鎖不均衡は、通常、１の遺伝子座の１の特定の対立遺伝子と第２の遺伝子座のもう１の特定の対立遺伝子との間の関連として見られる。
【０１４４】
疾病とマーカー遺伝子座との間の不均衡のパターンまたは曲線は、疾病遺伝子座で起る最大を示すことが予想される。したがって、疾病対立遺伝子と緊密に連鎖した遺伝マーカーとの間の連鎖不均衡の量は、疾病遺伝子のロケーションに関する価値ある情報を与えることができる。疾病遺伝子座の微小スケールマッピングに関しては、研究した領域中のマーカー間に存在する連鎖不均衡のパターンの幾分かの知識を有することは有用である。前記したごとく、連鎖不均衡の解析を通して達成したマッピング解像度は連鎖研究のものよりもはるかに高い。連鎖不均衡解析と組合せた高密度の多型マーカーにより、微小スケールマッピング用の強力なツールが提供される。
【０１４５】
第１の多型マーカーが関心のあるゲノム領域に同定されたら、当業者であれば、本発明の教示を用いて、この第１のマーカーと連鎖不均衡のさらなる多型マーカーを簡単に同定し得る。以前に記載したごとく、形質と関連する第１のマーカーと連鎖不均衡のいずれのマーカーも、形質と関連するであろう。したがって、所定の多型マーカーと形質との間に関連が示されれば、この形質と関連するさらなる多型マーカーの発見は、この特定の領域中の多型マーカーの密度を高めるために大きな関心となる。原因遺伝子または突然変異は、マーカーまたは一連のマーカー付近に見出され、形質と最も高い相関を示すであろう。
【０１４６】
所定のマーカーと連鎖不均衡のさらなるマーカーの同定には：（ａ）複数の個体から第１の多型マーカーを含むゲノムフラグメントを増幅し；（ｂ）該第１の多型マーカーを保持しているゲノム領域中の第２の多型マーカーを同定し；（ｃ）該第１の多型マーカーと第２の多型マーカーとの間の連鎖不均衡解析を行い；ついで、（ｄ）該第１のマーカーと連鎖不均衡であるとして該第２の多型マーカーを選択する、ことが含まれる。工程（ｂ）および（ｃ）を含むサブコンビネーションも予定される。
【０１４７】
多型マーカーを同定する方法および連鎖不均衡解析を行う方法は、本明細書中に記載されており、当業者であれば過度な研究をすることなく実施することができる。ついで、本発明は、表１に示す特定の多型マーカーと連鎖不均衡で存在する多型マーカーにも関し、それは所定の形質との対応する関連の見地から同様の特徴を示すことが予想される。
連鎖不均衡を計算するための異なる方法を、“統計学的方法”なる標題で以下に記載する。
【０１４８】
３．形質−マーカー関連の集団ベースの患者−対照研究
前記したごとく、同一染色体上の異なる遺伝子座における一対の特定の対立遺伝子の発生はランダムではなく、ランダムからのずれは連鎖不均衡と呼ばれる。関連研究は集団頻度に焦点が当てられており、連鎖不均衡の現象に依存している。所定の遺伝子中の特定の対立遺伝子が特定の形質を引起すことに直接関与しており、形質陰性集団またはランダムな対照集団における頻度と比較した場合、罹患した（形質陽性）集団においてその頻度は統計的に高まるであろう。連鎖不均衡が存在する結果、形質を引起す対立遺伝子を運搬しているハプロタイプ中に存在するすべての他の対立遺伝子の頻度は、形質陰性個体またはランダム対照と比較して形質陽性個体においても増大するであろう。したがって、形質と該形質を引起す対立遺伝子と連鎖不均衡のいずれの対立遺伝子（詳細には、多型マーカー対立遺伝子）との間の関連は、その特定の領域に形質に関連する遺伝子が存在することを示すことを満足するであろう。患者−対照集団は、多型マーカーについて遺伝子型決定して、形質を引起す対立遺伝子をより狭い場所に位置決定させる関連を同定することができる。形質と関連する１の所定のマーカーと連鎖不均衡のいずれのマーカーも形質と関連するであろう。連鎖不均衡により、形質を引起す対立遺伝子を見出すためにすべての可能性のある機能性多型をスクリーニングする別法として解析すべき制限された数の遺伝子多型（詳細には多型マーカー）の患者−対照集団における相対頻度が許容される。関連研究は無関係の患者−対照集団におけるマーカー対立遺伝子の頻度を比較し、複雑な形質を精密に吟味するための強力なツールを表す。
【０１４９】
患者−対照集団（包含基準）
集団ベースの関連研究は家族性遺伝に関係しないが、患者−対照集団における特定の遺伝マーカーの、または一連のマーカーの罹患率を比較する。それは、無関係な症例（罹患しているまたは形質陽性の）個体と無関係対照（罹患していないまたは形質陰性またはランダムな）個体との比較に基づく患者−対照研究である。好ましくは、対照群は罹患していないかまたは形質陰性の個体からなる。さらに、対照群は患者集団に民族的に一致している。さらに、対照群は、好ましくは研究下で形質の主要な知られている混乱因子について患者−集団に一致している（例えば、年齢依存性の形質については年齢一致している）。理想的には、２の試料中の個々のものを、それらが疾病状態でのみ異なると予想されるように対形成する。以下の記載においては、“形質陽性集団”、“患者集団”および“罹患集団”を互換的に用いる。
【０１５０】
関連研究を用いる複雑な形質の詳細な吟味において重要な工程は、患者−対照集団の選択である（LanderおよびSchork, Science, 265, 2037-2048, 1994)。患者−対照集団の選択における主要な工程は、所定の形質または表現型の臨床的定義である。いずれの遺伝的形質も、形質陽性および形質陰性の表現型群に含まれるべき個体を注意深く選択することによって、本明細書において提唱する関連方法によって解析することができる。４の基準が有用な場合がある：臨床的表現型、開始の年齢、家族の履歴および重度。連続的または定量的な形質（例えば、血圧のごとき）についての選択手法には、研究下で形質の表現型分布の反対末端の個体を、これらの形質陽性および形質陰性の集団に重複しない表現型を有する個体が含まれるように選択することが含まれる。好ましくは、患者−対照集団は、表現型的に均一な集団よりなる。形質陽性および形質陰性集団は、各々、研究下の合計集団の１ないし９８％、好ましくは１ないし８０％、より好ましくは１ないし５０％、およびより好ましくは１ないし３０％、最も好ましくは１ないし２０％を表す表現型的に均一な集団の個体からなり、重複しない表現型を示す個体の中で選択される。２の形質表現型の間の差異が明白であればあるほど、多型マーカーとの関連を検出する確率はより高くなる。これらの劇的に異なるが比較的均一の表現型を選択することにより、関連研究における効率的な比較が可能となり、遺伝レベルにおける顕著な相違の可能な検出が可能となるが、研究下の集団の試料サイズは極めて重要である。
【０１５１】
好ましい具体例において、５０ないし３００の形質陽性個体、好ましくは約１００の個体の第１の群をそれらの表現型に従って募集する。同様の数の形質陰性の個体をかかる研究に含める。
【０１５２】
本発明においては、包含基準の典型的な例には、ＣＮＳ障害またはＣＮＳ障害に作用する薬剤に対する応答の評価またはＣＮＳ障害に作用する薬剤での処理に対する副作用の評価が含まれる。
【０１５３】
本発明の多型マーカーを含む多型マーカーを用いる関連研究の好適な例は、以下の集団を含む研究である：
１．治療から生じる副作用に苦しむ、精神分裂症に作用する剤で処理した患者集団および副作用を示さない同剤で処理した対照集団、または
２．有益な応答を示す、精神分裂症に作用する剤で処理した患者集団および有益な応答を示さない同剤で処理した対照集団、
３．ほかのＣＮＳ障害に苦しむ患者集団および健康な冒されていない対照集団。
【０１５４】
Ｃ．関連存在下における連鎖の検定
本発明の多型マーカーは、ＴＤＴ（伝達／不均衡検定）においてもさらに使用することができる。ＴＤＴは連鎖および関連の両方について検定し、集団の階層化によって影響を受けない。ＴＤＴには、罹患した個体およびそれらの親のデータまたは親の代わりに罹患していない同胞からのデータが必要である（Spielman. S. ら, Am. J Hum. Genet., 52: 506-516, 1993; Schaid D. J.ら, Genet. Epidemiol., 13: 423-450, 1996, Spielman. S.およびEwens W. J., Am. J Hum. Genet., 62: 450-458, 1998を参照されたい)。この方法は、家族ベースの実験設計を用いて患者および対照群のミスマッチまたは異なる人種もしくは民族群からなる亜集団の混合に起因する潜在的な落とし穴を回避する。また、理論的解析は、このアプローチが、疾病危険度において２−倍または４−倍の上昇を付与するもののような比較的小さい効果の対立遺伝子を検出する伝統的な連鎖に基づくアプローチよりも遥かにより強力であり得ることを示している。一般的にＴＤＴアプローチには、親および罹患した子供からの遺伝子型データが必要であり、いずれかの過剰な／過少ないずれかのハプロタイプの伝達が存在するかを調べる。伝達されたハプロタイプは患者と考えることができ、伝達されなかったハプロタイプは対照と考えることができる。
【０１５５】
実施例３
本発明の多型の伝達非平衡解析
本発明者らは、実施例２で作成したＮＩＭＨ精神分裂症データに対して、家族ベースの関連研究を行った。疾病の状態、データ、家系構造および遺伝子型データをコンピュータプログラム“Transmit” Clayton, D., Am. J. Hum Genet, 1999.65 (4): p.1170-7を用いて解析した。
【０１５６】
データの説明
本発明者らの研究のためにＮＩＭＨ精神分裂症コレクションから選択した６２の核家族から２４８の個体（２２５の個体の遺伝子型データを含む）が存在した。母方の民族が分からない５３の個体が存在し、ほぼ６８の個体の母はアフリカ系アメリカ人、５１は西欧人、３９はアングロサクソン、１４は地中海人種および２３は他の人種背景を有していた（数字は全体として加算的でない）。合計１１１の個体が精神分裂症に罹っていると診断され、５０の個体は精神的疾患を未だ有しておらず、１５の個体は分からない疾病状態を有し、７２の個体は異なる形態の精神病を有していた。
【０１５７】
解析方法
混合効果のインパクトを最小限に抑えるために、Transmitプログラムを用いて一般化された伝達／非平衡テスト（ＴＤＴ）を行った。TransmitのＩ型エラーは集団階層化によって影響を受けないことが示されている。ブートストラッピングから得たｐ−値を報告する。親のうちの１または両方が遺伝子型決定に利用できない場合には、Transmitは余分の子供からの遺伝子型データを利用して親の遺伝子型を推定する。
【０１５８】
結果
本発明者らは、予想されたよりも多く精神分裂症に罹患した子孫にハプロタイプが伝達されているかを調べる“全体検定（global test）”を行った。例えば、遺伝子Ｃ２０２のＳＮＰ Ｓ１およびＳ４の組合せに対して４のハプロタイプＧ−Ｃ、Ｇ−Ｔ、Ｃ−ＣおよびＣ−Ｔが存在する。本発明者らは、ハプロタイプＧ−ＣおよびＧ−Ｔが予想されるよりも多くの罹患した子孫に伝達されること、およびＣ−ＣおよびＣ−Ｔが予想されるよりも少なく伝達されることを観察した。この知見の有意レベルはブートストラッピングにより０．０００３４７である。検定は個々のハプロタイプに対しても行った。検定では、いずれかのハプロタイプが他のハプロタイプよりもより高い頻度で罹患した子孫に伝達されるかを調べた。ここでも、遺伝子Ｃ２０２のＳＮＰ  Ｓ１およびＳ４について、本発明者らは、ハプロタイプＣ−Ｃが、合した他のハプロタイプと比較して予想されるよりも低い頻度で罹患した子孫に伝達されることを観察した。この知見の有意性はブートストラッピングにより０.０００１未満であり、これはすべての４の個々のハプロタイプ検定中で最も有意なものである。選択したＳＮＰのすべての組合せを調べた。これら２の遺伝子の有意な関連を示した幾つかのハプロタイプのＳＮＰが存在していた。Ｃ２０２の検定結果を表５に示す。
【０１５９】
【表５】
2004528847.tif 000008
【０１６０】
前記したごとく、グローバルＰ値はTransmitを用いて算出した。個々のハプロタイプのＰ値も算出した。さらに、最も有意な遺伝子座（Ｓ１−Ｓ３およびＳ１−Ｓ４）のグローバルｐ値は、別の方法によって解析した（結果は上記表中の括弧内に表す）。
【０１６１】
本発明者らは、本発明者らのＮＩＭＨ系統のＮＩＭＨ表現型データ（疾病状態）に無関係であるシミュレートした遺伝子型データを作成することによってこのことを行い、該データをTransmitを用いて解析し（これは、疾病とおおいに関係があるＳＮＰ／ＳＮＰｓの遺伝子型データを解析するのと同等である）、Transmit がこのタイプのデータからのｐ値を低く見積もる傾向があるかもしれないことを決定した。この現象は、より大きなｐ値についてよりも非常に小さいｐ値についてより明瞭である。
【０１６２】
簡単には、１００００の系統について本発明者らがシミュレートした遺伝子型データを、Hardy−Weinberg平衡およびメンデルの第１の法則（等しい分離）が有効であるとの仮定の下でＮＩＭＨデータから推定した集団ハプロタイプ頻度を用いて作成した。ＮＩＭＨおよび作成した遺伝子型からの表現型データを有する各系統をTransmitによって解析し、その結果を記録した。このプロセスは、精神分裂症に無関係であるゲノム中の１００００の遺伝子を調べることに類似している。Ｃｏｎ−２０２のＳ１−Ｓ３のハプロタイプについてTransmitによって報告されたｐ−値は０.０００２９９である。しかしながら、１０００００の系統のうちの２２.５は、０.０００２９９以下のｐ−値を有している。理想的には、グローバルｐ−値は、経験的なｐ−値と同一であるべきである。
【０１６３】
ｐ−値の数値の意味は、我々が単に偶然に有するものに等しいかまたはより端的な結果をあなたが有する確率である。上記の例については、本発明者らは、１００００系統のうちの約３（１００００×０.０００２９９＝２.９９）が０.０００２９９以下のｐ−値を有することを観察すべきであるが、本発明者らは１００００のうちの２２.５を観察した。したがって、この別の方法によって、ｐ−値は０.００２５５と報告される。同様にして、Ｓ１−Ｓ４ハプロタイプについてのｐ−値は同様の解析によって０.００２９と報告し得る。この現象はより大きなｐ−値よりも非常に小さなｐ−値についてより明確である。報告したｐ−値が約０.０５である場合、経験的なｐ−値は０.０５にかなり近づき、したがってＳ７、Ｓ２−Ｓ７およびＳ１−Ｓ２−Ｓ７はこの正確な解析によって本質的に変化しないまま残る。
【０１６４】
Ｄ.統計的方法
一般的に、形質および遺伝子型が統計学的に有意な相関を示しているかを検定するためには、当該技術分野で知られているいずれの方法も用いることができる。
１．連鎖解析における方法
連鎖解析に有用である統計的方法およびコンピュータプログラムは当業者によく知られている（Terwilliger J. D.およびOtt J., Handbook of Human Genetic Linkage, John Hopkins University Press, London, 1994; Ott J., Analysis of Human Genetic Linkage, John Hopkins University Press, Baltimore, 1991を参照されたい)。
【０１６５】
２．集団中のハプロタイプ頻度を推定する方法
前記したごとく、遺伝子型にスコアを付ける場合、ハプロタイプ頻度を簡単に推定することができないようにヘテロ接合体を識別することが不可能な場合がある。生殖体相が分からない場合、ハプロタイプ頻度を多重遺伝子座の遺伝子型データからハプロタイプ頻度を推定し得る。当業者に知られているいずれの方法を用いても、ハプロタイプ頻度を推定することができる（Lange K., Mathematical and Statistical Methods for Genetic Analysis, Springer, New York, 1997; Weir, B. S., Genetic data Analysis I: Methods for Discrete population genetic Data, Sinauer Assoc., Inc., Sunderland, MA USA, 1996)。好ましくは、最尤値のハプロタイプ頻度を最尤法（ＥＭ）アルゴリズムを用いて計算する（Dempsterら, J R. Stat. Soc., 39B: 1-38, 1977; Excoffier L.およびSlatkin M., Mol. Biol. Evol., 12 (5): 921-927, 1995を参照されたい)。この手法は、生殖体相が分からない場合、複数の遺伝子座の遺伝子型データからのハプロタイプ頻度の最尤推定値を得ることを目的とする反復プロセスである。ハプロタイプ推定は、通常、例えば、ＥＭ−ＨＡＰＬＯプログラム（Hawley M. E.ら, Am. J Phys. Anthropol., 18: 104, 1994)またはArlequinプログラム（Schneiderら, Arlequin: a software for population genetics data analysis, University of Geneva, 1997)を用いてＥＭアルゴリズムを適用することによって行う。ＥＭアルゴリズムは、推定値に対する一般化された反復最尤法であり、以下に簡単に記載する。
【０１６６】
本願の以下の部分において、表現型とは、分からない相を有する複数の遺伝子座の遺伝子型をいう。遺伝子型とは、知られている相の複数の遺伝子座の遺伝子型をいう。
【０１６７】
Ｋマーカーについて分類されたＮの無関係な個体のサンプルを想定する。観察されたデータは、Ｆの異なる表現型に類別し得る分からない相のＫ遺伝子座表現型である。我々がＨの根底をなす可能なハプロタイプを有することを想定する（Ｋの多型マーカーの場合には、Ｈ＝２ｋ）。表現型ｊについては、ｃｊの遺伝子型が可能であることを想定する。したがって、我々は以下の等式を有する：
【０１６８】
【数１】
2004528847.tif 000009
【０１６９】
式中、Ｐｊは表現型ｊの確率であり、ｈｋおよびｈｌは遺伝子型ｉにおける２のハプロタイプ構成要素である。Hardy−Weinberg等式下で、ｐｒ（ｈｋ，ｈｊ））は
【０１７０】
【数２】
2004528847.tif 000010
【０１７１】
となる。
【０１７２】
Ｅ−Ｍアルゴリズムの引続く工程は以下のように記載することができる：
ｐ１（０）、ｐ（０）、．．．．．ｐＨ（０）と表されるハプロタイプ頻度の初期値で開始し、これらの初期値は遺伝子型頻度を推定するように作用し（予想段階）、ついでｐ１（１）、ｐ（１）、.....ｐＨ（１）と表されるもう１の一連のハプロタイプ頻度（極大化工程）を推定し、一連のハプロタイプ頻度中の変化が非常に小さくなるまでこれらの２の工程を繰り返す。
【０１７３】
終止の基準は、２の繰返し間のハプロタイプ頻度間の最大の差が１０−７未満であることとし得る。これらの値は、望ましい精度の推定にしたがって調節し得る。
詳細には、所定の繰返し  ｓにおいて、予想工程は下記の等式によって遺伝子型頻度を計算することからなり：
【０１７４】
【数３】
2004528847.tif 000011
【０１７５】
式中、遺伝子型Ｉは表現型ｊで発生し、ｈｋおよびｈｌは遺伝子型ｉを構成する。各確率は前記した等式１および等式２にしたがって導く。
ついで、最大化工程は単純に遺伝子型頻度を与えるもう１の一連のハプロタイプの頻度を推定する。このアプローチは遺伝子計数法としても知られている（Smith, Ann. Hum. Genet., 21: 254-276, 1957）。
【０１７６】
【数４】
2004528847.tif 000012
式中、
【０１７７】
【数５】
2004528847.tif 000013
【０１７８】
は遺伝子型i中のハプロタイプtの数をカウントするインジケーター変数である。それは０、１または２の値をとる。
最終的に得られた推定値が最尤推定値であることを確かめるためには、幾つかの値の起程点（departure）が必要である。得られた推定値を比較し、それらが異なる場合には、最良の見込みにつながる推定値を維持する。
【０１７９】
３．マーカー間の連鎖不均衡を計算する方法
多くの方法を用いて、いずれか２の遺伝子ポジション間の連鎖不均衡を計算することができ、実際、連鎖不均衡は、集団から採取したハプロタイプのデータに統計学的関連検定を適用することによって測定する。マーカーＭｉに対立遺伝子（ａｉ／ｂｉ）およびマーカーＭｊに対立遺伝子（ａｊ／ｂｊ）を有する本発明の多型マーカー（Ｍｉ，Ｍｊ）の少なくとも１を含むいずれかの対の多型マーカー間の連鎖不均衡は、Piazza式：
【０１８０】
【数６】
2004528847.tif 000014
【０１８１】
に従ってすべての対立遺伝子の組合せ（ａｉ，ａｊ；ａｉ，ｂｊ；ｂｉ，ａｊおよびｂｉ，ｂｊ）について計算することができる。
０４＝Ｍｉに対立遺伝子ａｉを有さず、かつ、Ｍｊに対立遺伝子ａｊを有さない遺伝子型の−−頻度
０３＝Ｍｉに対立遺伝子ａｉを有さず、かつ、Ｍｊに対立遺伝子ａｊを有する遺伝子型の−＋頻度
０２＝Ｍｉに対立遺伝子ａｉを有し、かつ、Ｍｊに対立遺伝子ａｊを有さない遺伝子型の＋−頻度
一対の多型マーカー（Ｍｉ，Ｍｊ）間の連鎖不均衡（ＬＤ）も、Weir（Weir B. S., Genetic Data Analysis, Sinauer Ass.編 1996)によって記載されているごとく、デルタ（コンポジット遺伝子型不均衡係数）についての最尤推定（ＭＬＥ）に従ってすべての対立遺伝子の組合せ（ａｉ，ａｊ；ａｉ，ｂｊ；ｂｉ，ａｊおよびｂｉ，ｂｊ）について計算し得る。コンポジット連鎖不均衡についてのＭＬＥは：
【０１８２】
Ｄａｉａｊ＝（２ｎ１，＋ｎ２＋ｎ３＋ｎ４／２）／Ｎ−２（ｐｒ（ａｊ）・ｐｒ（ａｊ））
【０１８３】
式中、ｎ１＝Σ表現型（ａｉ／ａｉ，ａｊ／ａｊ）、ｎ２＝Σ表現型（ａｉ／ａｉ，ａｊ／ａｊ）、ｎ３＝Σ表現型（ａｉ／ａｉ，ａｊ／ａｊ）、ｎ４＝Σ表現型（ａｉ／ａｉ，ａｊ／ａｊ）であり、Ｎは試料中の個体数である。この式により、遺伝子型のみでハプロタイプのデータが利用できない場合でも、対立遺伝子間の連鎖不均衡を推定することができる。
【０１８４】
マーカー間の連鎖不均衡を算出する他の手段は以下のとおりである。多型マーカーＭｉ（ａｉｂｉ）およびＭｊ（ａｌｂｊ）のカップルについては、Hardy−Weinberg平衡をフィッティングすれば、前記したアプローチに従って所定の集団中の４の可能なハプロタイプ頻度を推定し得る。
ａｉとａｊとの間の生殖体不均衡の推定は単純である：
【０１８５】
Ｄ'ａｉａｊ＝ｐｒ（haplotype（ａｉ, ａｊ））−ｐｒ(ａｉ)−ｐｒ(ａｊ)．
【０１８６】
式中、ｐｒ（ａｉ）は対立遺伝子ａｉの確率であり、ｐｒ（ａｊ）は対立遺伝子ａｊの確率であり、ｐｒ（haplotype（ａｉ，ａｊ））は上記等式３と同様に推定した。カップルの多型マーカーについては、ＭｉとＭｊとの間の関連を説明するために、１のみの不均衡の測定しか必要でない。
【０１８７】
ついで、前記の正規化した値を以下のとおりに計算する：
Ｄ'ａｉａｊ＝Ｄ’ａｉａｊ／max(-pr(ai).pr(aj),-pr(bi).pr(bj)）ただしＤａｉａｊ＜０
Ｄ'ａｉａｊ＝Ｄ’ａｉａｊ／max(pr(bi).pr(aj),-pr(ai).pr(bj)）ただしＤａｉａｊ＞０
【０１８８】
当業者であれば、他のＬＤ計算法を過度な実験をすることなく容易に理解するであろう。十分なヘテロ接合率を有する一連の多型マーカーの中で連鎖不均衡は５０ないし１０００の、好ましくは７５ないし２００、より好ましくは１００付近の無関係な個体間の遺伝子型決定によって決定する。
【０１８９】
４．関連についての検定
表現型と遺伝子型との間の相関の統計学的有意性を決定する方法、このケースにおいては、多型マーカーにおける対立遺伝子またはかかる対立遺伝子から構成されるハプロタイプは、当該技術分野で知られているいずれかの統計学的検定によって決定し得るが、統計学的に有意ないずれかの許容された閾値が必要である。
特定の方法の適用および有意性の閾値は当業者によく知られている。
【０１９０】
関連を検定することは、患者および対照の集団における多型マーカー対立遺伝子の頻度を決定し、これらの頻度を統計検定と比較して、研究下の形質と多型マーカー対立遺伝子との間隔の相関を示すであろう頻度に統計学的有意差が存在するかを判定することによって行う。同様にして、ハプロタイプ解析は、患者および対照の集団における所定の一連の多型マーカーについてすべての可能なハプロタイプの頻度を算定し、これらの頻度と統計検定とを比較して、研究下でハプロタイプと表現型（形質）との間に統計学的有意差が存在するかを判定することによって行う。遺伝子型と表現型との間の統計学的に有意な関連を検定するのに有用ないずれの統計学的ツールも使用し得る。好ましくは、用いる統計学的検定は自由度１のχ２検定である。Ｐ−値を算出する（Ｐ−値は大きなまたは観察ものよりも大きな統計値が偶然起こることの確率である）
【０１９１】
統計学的有意性
好ましい具体例において、診断の意義は、さらなる診断試験についての積極的な基礎または早期の予防療法の準備的出発点のいずれかを目的とし、多型マーカー関連に関連するｐ値は、単一多型マーカー解析については好ましくは約１×１０−２以下、より好ましくは約１×１０−４以下であり、幾つかのマーカーを含むハプロタイプ解析については約１×１０−３以下、なおより好ましくは１×１０−６以下および最も好ましくは約１×１０−８以下である。これらの値は、単一または多重マーカーの組合せを含むいずれの関連研究にも適用し得ると考えられる。
【０１９２】
当業者であれば、本発明の多型マーカーを用いて関連研究を行うために出発点として前記した範囲の値を使用し得る。かく行うと、本発明の多型マーカーとＣＮＳ障害との間の有意な関連を明らかにすることができ、診断および薬剤スクリーニング目的に使用し得る。
【０１９３】
表現型並べ替え
前記した第１ステージのハプロタイプ解析の統計学的有意性を確認するためには、患者−対照個体からの遺伝子型決定データを保存し、その形質表現型に対して無作為化するさらなる解析を行うことが好適であろう。各個体の遺伝子型決定データを２の群に無作為に割り当て、そこには第１ステージで得たデータを編集するために用いた患者−対照集団として同数の個体が含まれている。第２ステージのハプロタイプ解析は、好ましくはこれらの人為的な群において、好ましくは最高の相対危険度係数を示している第１ステージの解析のハプロタイプに含まれるマーカーについて行う。この実験は、好ましくは少なくとも１００ないし１００００回繰返す。繰返し反復することにより、有意なｐ値レベルを有する得られたハプロタイプのパーセントを決定することができる。
【０１９４】
統計学的関連の評価
偽陽性の問題に取組むために、無作為ゲノム領域中の同一の患者−対照集団を用いて同様な解析を行い得る。無作為領域および候補領域における結果は、"Methods, software and apparati for identifying genomic regions harboring a gene associated with a detectable trait"なる表題でWO 00/28080に記載されているように比較する。
【０１９５】
危険因子の評価
危険因子（遺伝疫学において、危険因子とはマーカー遺伝子座における特定の対立遺伝子またはハプロタイプの存在または不存在である）と疾病との間の関連は、オッズ比（ＯＲ）および相対危険度（ＲＲ）によって測定する。Ｐ（Ｒ＋）をＲを有する個体について疾病を発症する確率とし、Ｐ（Ｒ７）を危険因子を有していない個体についての確率とすると、相対危険度は単純に２の確率の比、すなわちＲＲ＝Ｐ（Ｒ＋）／Ｐ（Ｒ−）である。
【０１９６】
患者−対照研究においては、相対危険度の直接測定値は得ることができない。サンプリングの設計のためである。しかしながら、オッズ比により、低発生率の疾病の相対危険度の良好な近似が可能であり、計算することができる：
ＯＲ＝[Ｆ＋／（ｌ−Ｆ＋）]／[Ｆ−／（ｌ−Ｆ−）]
Ｆ＋とは患者における危険因子に曝される頻度であり、Ｆ−とは対照における危険因子に曝される頻度である。Ｆ＋およびＦ−は研究の対立遺伝子またはハプロタイプの頻度を用いて算出し、さらに基礎にある遺伝モデル（優性、劣性、相加、．．．．）に依存する。
【０１９７】
さらに、所定の危険因子に起因して形質を表す集団中の個体の比率を説明する寄与危険度（ＡＲ）を推定することができる。この測定は、病因における特定の因子の役割を定量化することにおいて、および危険因子の公衆衛生影響の見地から重要である。この測定の公衆衛生適当性は、目的物の暴露が存在しなければ予防し得たであろう集団中の疾患の患者の比率を推定することにある。ＡＲは以下のように決定し得る：
ＡＲ＝ＰＥ（ＲＲ−Ｉ）／（ＰＥ（ＲＲ−Ｉ）＋１）
ＡＲとは、多型マーカー対立遺伝子または多型マーカーハプロタイプに帰することができる危険度である。ＰＥとは、十分に（at large）集団内の対立遺伝子またはハプロタイプに曝される頻度であり；ＲＲとは、研究下の形質が一般的集団中で比較的低い発生率を有する場合のオッズ比を用いて近似される相対危険度である。
【０１９８】
精神分裂症と本発明の多型マーカーとの関連
本発明の趣旨において、Ｃｏｎ−２０２中の本発明の多型マーカー対立遺伝子と精神分裂症との間の関連を示した。
精神分裂症の生物学的基礎に関連する多くの神経化学的知見が、少なくとも特定のサブタイプについて現れてきている。しかしながら、明確なおよび特定の精神分裂症表現型および遺伝解析の好適なマーカーの欠如は、精神分裂症と関連する遺伝子を信頼性高く同定することについての主要な障害であることが判明している。その結果、今日、精神科医は、直感および試行錯誤によって抗精神分裂症薬物療法を選択しなければならず；正しい化合物が選択されるまで数週間ないし数ヶ月間もの間自殺にかられる患者を危険な状態に置くことになる。明らかに、精神分裂症に関与する遺伝子を首尾よく同定する強い必要性が存在し；したがって、研究者が鬱病の病因を理解することができ、その症状よりもその原因に取組むことができる。
【０１９９】
この情報は極めて価値がある。潜在的な遺伝的素因の知識は、その素因が絶対的でなくても、憂鬱になった患者の治療効力および診断ツールの開発に非常に重大な様式で寄与し得る。
特に前記の詳細な説明および実施例に記載したもの以外にも本発明を実施し得ることは明らかであろう。
前記の教示に鑑みて本発明の多数の改良および変形が可能であり、したがってそれらも本発明の範囲内に属する。
本明細書中に引用したすべての刊行物の開示全体を出典明示して本明細書の一部とみなす。
【図面の簡単な説明】
【０２００】
【図１】図１は特記した多型のロケーションを含むＣｏｎ−２０２遺伝子の組織図である。
【図１】
2004528847.tif 000015
【国際公開パンフレット】
2004528847.tif 000016
2004528847.tif 000017
2004528847.tif 000018
2004528847.tif 000019
2004528847.tif 000020
2004528847.tif 000021
2004528847.tif 000022
2004528847.tif 000023
2004528847.tif 000024
2004528847.tif 000025
2004528847.tif 000026
2004528847.tif 000027
2004528847.tif 000028
2004528847.tif 000029
2004528847.tif 000030
2004528847.tif 000031
2004528847.tif 000032
2004528847.tif 000033
2004528847.tif 000034
2004528847.tif 000035
2004528847.tif 000036
2004528847.tif 000037
2004528847.tif 000038
2004528847.tif 000039
2004528847.tif 000040
2004528847.tif 000041
2004528847.tif 000042
2004528847.tif 000043
2004528847.tif 000044
2004528847.tif 000045
2004528847.tif 000046
2004528847.tif 000047
2004528847.tif 000048
2004528847.tif 000049
2004528847.tif 000050
2004528847.tif 000051
2004528847.tif 000052
2004528847.tif 000053
2004528847.tif 000054
2004528847.tif 000055
2004528847.tif 000056
2004528847.tif 000057
2004528847.tif 000058
2004528847.tif 000059
2004528847.tif 000060
2004528847.tif 000061
2004528847.tif 000062
2004528847.tif 000063
2004528847.tif 000064
2004528847.tif 000065
2004528847.tif 000066
2004528847.tif 000067
2004528847.tif 000068
2004528847.tif 000069
2004528847.tif 000070
2004528847.tif 000071
2004528847.tif 000072
2004528847.tif 000073
2004528847.tif 000074
2004528847.tif 000075
2004528847.tif 000076
2004528847.tif 000077
2004528847.tif 000078
2004528847.tif 000079
2004528847.tif 000080
2004528847.tif 000081
2004528847.tif 000082
2004528847.tif 000083
2004528847.tif 000084
2004528847.tif 000085
2004528847.tif 000086
2004528847.tif 000087
2004528847.tif 000088
2004528847.tif 000089
2004528847.tif 000090
2004528847.tif 000091
2004528847.tif 000092
2004528847.tif 000093